(57)【要約】【課題】コンテンツ公開、広告サービス、および報酬回収間の統合のための、コンピュータによって実施される方法およびシステムを提供する。【解決手段】コンピュータが、閲覧用に第１の利用者が生成した第１のコンテンツを公開するステップと、公開された第１のコンテンツの所定条件が第１の所定の閾値に達するかどうかを判定するステップと、第１の所定の閾値に達する場合、第１の広告に使用可能な第１の枠を提供するステップと、第１の利用者が第１の枠の第１の価格を設定できるようにするステップとを実行する。このとき、公開された第１のコンテンツの所定条件は、公開された第１のコンテンツに対する推薦数、または公開された第１のコンテンツの翻訳数のうちの、少なくとも１つを含む。【選択図】図１
2020009481.tif 000002
【特許請求の範囲】
【請求項１】
標準化データを管理するためのデータ管理システムであって、
データベースと、以下を実行するよう構成されるプロセッサとを含むサーバ：
通信ネットワークを介して利用者に関連する１つ以上のユーザ装置から、標準化データを含む第１の数の作成したコンテンツを受け取るステップ；
第１の所定数のコンテンツを超えて利用者が前記サーバにアップロードすることを制約するステップ；
前記通信ネットワークを介してユーザ装置にアクセス可能となるように前記第１の作成されたコンテンツを公開するステップであって、前記第１の作成されたコンテンツの各々が、前記第１の所定数に向かって数えられるステップ；
検索のために前記データベース中で前記標準化データを管理するステップ；
前記公開された第１の作成されたコンテンツの第１の所定条件が第１の所定の閾値に達したことを特定するステップ；
前記公開された第１の作成されたコンテンツの前記第１の所定条件が前記第１の所定の閾値に達したことを特定するステップに応答して、（ｉ）前記第１の作成されたコンテンツの少なくとも１つが公開されるページを、追加のコンテンツが表示されうる第１の利用者によって制御される枠を含むように変更し、（ｉｉ）前記第１の利用者によって制御される枠について価格を設定するために前記利用者に制限時間を設定し、（ｉｉｉ）前記利用者にアクセス可能なインターフェース上に一時的なリンクを表示し、該一時的なリンクは、前記利用者による選択に基づいて前記第１の利用者によって制御される枠について前記利用者が価格を設定できるように構成され、前記制限時間が過ぎた後は選択不能であり、かつ（ｉｖ）前記利用者が、公開のために第２の所定数の第２の作成されたコンテンツをサーバにアップロードすることを可能にする、ステップ；
前記通信ネットワークを介して前記利用者に関連する前記１つ以上のユーザ装置から、第２の数の作成したコンテンツを受け取るステップ；
前記第２の所定数の第２の作成されたコンテンツを超えて前記利用者が前記サーバにアップロードすることを制約するステップ；
前記通信ネットワークを介してユーザ装置にアクセス可能となるように前記第２の作成されたコンテンツを公開するステップであって、前記第２の作成されたコンテンツの各々が、前記第２の所定数に向かって数えられるステップ；
前記公開された第２の作成されたコンテンツの第１の所定条件が第２の所定の閾値に達したことを特定するステップ；
前記公開された第２の作成されたコンテンツの前記第１の所定条件が前記第２の所定の閾値に達したことを特定するステップに応答して、（ｉ）前記第１の作成されたコンテンツの少なくとも１つが公開されるページを、追加のコンテンツが表示されうる第２の利用者によって制御される枠を含むように変更し、（ｉｉ）前記第２の利用者によって制御される枠を利用するための少なくとも１つの基準の利用者管理を可能とし、かつ（ｉｉｉ）前記利用者が、公開のために第３の所定数の第３の作成されたコンテンツをサーバにアップロードすることを可能にする、ステップ、
とを含む、システム。
【請求項２】
前記標準化データが、作成され得る金銭的評価を含むことを特徴とする、請求項１に記載のデータ管理システム。
【請求項３】
前記標準化データが、作成され得る前記金銭的評価のための計算方法をさらに含むことを特徴とする、請求項２に記載のデータ管理システム。
【請求項４】
前記標準化データが、保存され得る金銭的評価を含むことを特徴とする、請求項１に記載のデータ管理システム。
【請求項５】
前記標準化データが、保存され得る前記金銭的評価のための計算方法をさらに含むことを特徴とする、請求項４に記載のデータ管理システム。
【請求項６】
前記標準化データが、炭素放出低減を含むことを特徴とする、請求項１に記載のデータ管理システム。
【請求項７】
前記標準化データが、前記第１の作成されたコンテンツを作成するために用いられる言語を含むことを特徴とする、請求項１に記載のデータ管理システム。
【請求項８】
前記データベースが、前記公開された第１の作成されたコンテンツの少なくとも１つの翻訳を受け取るよう構成されることを特徴とする、請求項１に記載のデータ管理システム。
【請求項９】
前記翻訳が、前記利用者とは異なる利用者により行われることを特徴とする、請求項８に記載のデータ管理システム。
【請求項１０】
標準化データを管理するためのコンピュータにより実行される方法であって、
サーバによって、通信ネットワークを介して利用者に関連する１つ以上のユーザ装置から、標準化データを含む第１の数の作成したコンテンツを受け取るステップ；
前記サーバによって、第１の所定数のコンテンツを超えて利用者が前記サーバにアップロードすることを制約するステップ；
前記サーバによって、前記通信ネットワークを介してユーザ装置にアクセス可能となるように前記第１の作成されたコンテンツを公開するステップであって、前記第１の作成されたコンテンツの各々が、前記第１の所定数に向かって数えられるステップ；
前記サーバによって、検索のために前記データベース中で前記標準化データを管理するステップ；
前記サーバによって、前記公開された第１の作成されたコンテンツの第１の所定条件が第１の所定の閾値に達したことを特定するステップ；
前記サーバによって、前記公開された第１の作成されたコンテンツの前記第１の所定条件が前記第１の所定の閾値に達したことを特定するステップに応答して、（ｉ）前記第１の作成されたコンテンツの少なくとも１つが公開されるページを、追加のコンテンツが表示されうる第１の利用者によって制御される枠を含むように変更し、（ｉｉ）前記第１の利用者によって制御される枠について価格を設定するために前記利用者に制限時間を設定し、（ｉｉｉ）前記利用者にアクセス可能なインターフェース上に一時的なリンクを表示し、該一時的なリンクは、前記利用者による選択に基づいて前記第１の利用者によって制御される枠について前記利用者が価格を設定できるように構成され、前記制限時間が過ぎた後は選択不能であり、かつ（ｉｖ）前記利用者が、公開のために第２の所定数の第２の作成されたコンテンツをサーバにアップロードすることを可能にする、ステップ；
前記サーバによって、前記通信ネットワークを介して前記利用者に関連する前記１つ以上のユーザ装置から、第２の数の作成したコンテンツを受け取るステップ；
前記サーバによって、前記第２の所定数の第２の作成されたコンテンツを超えて前記利用者が前記サーバにアップロードすることを制約するステップ；
前記サーバによって、前記通信ネットワークを介してユーザ装置にアクセス可能となるように前記第２の作成されたコンテンツを公開するステップであって、前記第２の作成されたコンテンツの各々が、前記第２の所定数に向かって数えられるステップ；
前記サーバによって、前記公開された第２の作成されたコンテンツの第１の所定条件が第２の所定の閾値に達したことを特定するステップ；
前記公開された第２の作成されたコンテンツの前記第１の所定条件が前記第２の所定の閾値に達したことを特定するステップに応答して、（ｉ）前記サーバによって、前記第１の作成されたコンテンツの少なくとも１つが公開されるページを、追加のコンテンツが表示されうる第２の利用者によって制御される枠を含むように変更し、（ｉｉ）前記サーバによって、前記第２の利用者によって制御される枠を利用するための少なくとも１つの基準の利用者管理を可能とし、かつ（ｉｉｉ）前記サーバによって、前記利用者が、公開のために第３の所定数の第３の作成されたコンテンツをサーバにアップロードすることを可能にする、ステップ、
とを含む、方法。
【請求項１１】
前記第１の所定条件が、前記公開されたコンテンツの推薦数、前記公開されたコンテンツの閲覧者数、前記利用者により投稿された質問数、前記利用者により提供された回答数、または前記公開されたコンテンツの翻訳数の少なくとも１つを含むことを特徴とする、請求項１０に記載の方法。
【請求項１２】
前記サーバによって、標準化データに従って前記公開されたコンテンツを検索するステップをさらに含むことを特徴とする、請求項１０に記載の方法。
【請求項１３】
前記サーバによって、標準化データに従って前記公開されたコンテンツの評価のためのフォーマットを提供するステップをさらに含むことを特徴とする、請求項１０に記載の方法。
【請求項１４】
前記第１の利用者によって制御される枠が、第１の画像を受け取るように構成されることを特徴とする、請求項１０に記載の方法。
【請求項１５】
前記第１の画像が、グリーティングカード、写真、作品、またはロゴを含むことを特徴とする、請求項１４に記載の方法。
【発明の詳細な説明】
【関連出願の説明】
【０００１】
本願は、本発明者が２０１１年１１月１１日に出願し、参照により本明細書に援用する、「Ｓｙｓｔｅｍ  ａｎｄ  Ｍｅｔｈｏｄ  ｆｏｒ  Ｒｅｐｏｒｔｉｎｇ  Ｓｕｓｔａｉｎａｂｌｅ  Ｄｅｖｅｌｏｐｍｅｎｔ  Ｓｔｒａｔｅｇｉｅｓ，  Ｅｘｃｈａｎｇｉｎｇ  Ｐｕｂｌｉｃ  Ｐｏｌｉｃｉｅｓ，  Ｅｎｖｉｒｏｎｍｅｎｔａｌｌｙ  Ｆｒｉｅｎｄｌｙ  ａｎｄ  Ｐｏｌｉｔｉｃａｌ  Ｉｎｆｏｒｍａｔｉｏｎ  ａｎｄ  Ａｎｙ  Ｇｅｎｅｒａｌ  Ｉｎｆｏｒｍａｔｉｏｎ  Ｉｎｔｅｒｎａｔｉｏｎａｌｌｙ  ａｎｄ  Ｗｉｔｈｏｕｔ  Ｌａｎｇｕａｇｅ  Ｂａｒｒｉｅｒｓ，  ａｎｄ  Ｒｅｃｅｉｖｉｎｇ  Ｆｉｎａｎｃｉａｌ  Ｒｅｗａｒｄｓ  ｆｏｒ  Ｐｕｂｌｉｓｈｉｎｇ  Ｃｏｎｔｅｎｔ  Ｏｎｌｉｎｅ」と題した米国仮特許出願第６１／５５８，５１１号明細書に基づく優先権を主張する。
【技術分野】
【０００２】
本発明は、一般に広告サービスを使用することによりコンテンツの貢献に対する報酬の受け取り関するものであり、より詳細には、コンテンツ公開、広告サービス、および報酬回収間の統合のための方法およびシステムに関する。
【背景技術】
【０００３】
インターネット技術の進歩および発展に伴い、利用者はインターネットを介して自分のコンテンツを公開することにより金銭的報酬／対価を受け取ることができる。グーグルアドセンスなどの広告サービスは、広告を作成して、関心があるコンテンツが公開されているウェブサイト上に掲載するツールを提供する。その後、Ｇｏｏｇｌｅなどの広告サービスプロバイダおよびコンテンツの公開者またはウェブサイトの所有者が、例えばウェブサイト上に表示される広告ごとに広告主が支払うクリック単価（ＣＰＣ）や１０００インプレッションあたりの単価（ＣＰＭ）に基づいて利益を分配する。しかし、ＣＰＣやＣＰＭが現時点における例であるが、そのような広告サービスは報酬を回収するのに制約を課す場合があり、そのためユーザの使い勝手が悪かったり、柔軟ではなかったりすることがある。さらに、利用者はことによるとウェブサイトおよびＴｗｉｔｔｅｒやＦａｃｅｂｏｏｋなどのソーシャルネットワークによりオンラインで容易に無限にコンテンツを公開できるので、公開されるオンラインコンテンツの質は多くの場合考慮されない。最後に、コンテンツのレポートの作成や、コンテンツを交換するフォーマットに対して、現在のシステムまたは方法は十分に相互にやりとりすることができない場合があり、このことは利用者になる可能性がる人が、持続可能な開発の環境的、経済的、および社会的な側面を検討する関心のあるコンテンツに参加するのを妨げる可能性がある。
【発明の概要】
【発明が解決しようとする課題】
【０００４】
したがって、コンテンツ公開、広告サービス、および報酬の回収間の統合のための方法およびシステムを有することが望ましい場合がある。質が高く推薦されるコンテンツを公開するためのインセンティブを提供する方法およびシステム、並びにコンテンツを公開／やり取りし、報酬を受け取り、広告サービスを使用するための柔軟で相互にやりとりできる環境を有することも望ましい場合がある。
【課題を解決するための手段】
【０００５】
本発明の実施形態は、コンテンツ公開、広告サービス、および報酬の回収間の統合のための方法を提供することができる。この方法は、閲覧用に第１の利用者が生成した第１のコンテンツを公開するステップと、公開された第１のコンテンツの所定条件が第１の所定の閾値に達するかどうかを判定するステップと、第１の所定の閾値に達する場合、第１の広告に使用可能な第１の枠(slot)を提供するステップと、第１の利用者が第１の枠の第１の価格を設定できるようにするステップとを含む。
【０００６】
本発明の一部の実施形態では、コンテンツ公開、広告サービス、および報酬回収間の統合のための方法を提供することもできる。この方法は、第１のコンテンツを公開するステップと、第１の広告に使用可能な第１のコンテンツに関連する第１の枠を提供するステップと、第１の利用者が第１の枠の第１の価格を設定できるようにするステップとを含む。
【０００７】
本発明の実施形態は、コンテンツ公開、広告サービス、および報酬回収間の統合のためのシステムをさらに提供することができる。本システムは、閲覧用に第１の利用者が生成した第１のコンテンツを公開するための手段と、公開された第１のコンテンツの所定条件が第１の所定の閾値に達するかどうかを判定するための手段と、第１の所定の閾値に達する場合、第１の広告に使用可能な第１の枠を提供するための手段と、第１の利用者が第１の枠の第１の価格を設定できるようにするための手段とを含む。
【０００８】
本発明の実施形態は、コンテンツ公開、広告サービス、および報酬回収間の統合のためのシステムをさらに提供することができる。本システムは、第１のコンテンツを公開するための手段と、第１の広告に使用可能な第１のコンテンツに関連する第１の枠を提供するための手段と、第１の利用者が第１の枠の第１の価格を設定できるようにするための手段とを含む。
【０００９】
次に、添付図面にその例を示す本発明およびその実施形態について詳しく言及する。図面の全体を通して、同じまたは同様の部分を指すために可能な限り同じ参照番号を使用する。
【図面の簡単な説明】
【００１０】
【図１】本発明の一実施形態による、コンテンツ公開、広告サービス、および報酬回収間の統合のためのシステムの図の一例
【図２】利用者のメインメニューページを示す画面の一例
【図３Ａ】利用者がさらに多くの持続可能な開発のための戦略（ＳＤＳ）を公開するためのさらに多くの推薦を得た後、ＳＤＳタブを表示できる方法を示す画面の一例
【図３Ｂ】利用者がＳＤＳを公開するために提供できる情報を示す画面の一例
【図３Ｃ】公開されたＳＤＳがシステム上でどのように表示され得るのかを示す画面の一例
【図４Ａ】利用者のグリーン不動産(Green Real Estate)（ＧＲＥ）を管理するためのメインメニューを示す画面の一例
【図４Ｂ】利用者が自分のＧＲＥに値段を付けるために使用可能な機会にアクセスし得る方法を示す画面の一例
【図４Ｃ】利用者が自分のＧＲＥに値段を付けるために提供することを求められる情報を示す画面の一例
【図４Ｄ】利用者が現在販売しているＧＲＥの区画を示す画面の一例
【図４Ｅ】利用者の売れたＧＲＥの区画（支払い済みおよび未払いの両方）、および売れていないＧＲＥの区画の取引履歴を示す画面の一例
【図４Ｆ】利用者が現在入札しているＧＲＥの区画を示す画面の一例
【図４Ｇ】利用者が入札によって取得したＧＲＥの区画を示す画面の一例
【図４Ｈ】利用者が自分のＧＲＥを「構築する」ために提供することを求められる情報を示す画面の一例
【図４Ｉ】利用者が自分の売手／買手フィードバックを提供する方法を示す画面の一例
【図４Ｊ】利用者が、自分のＧＲＥに入札することをブロックした人の一覧を示す画面の一例
【図５Ａ】推薦を獲得し、販売用のＧＲＥを含む、公開されたＳＤＳを示す画面の一例
【図５Ｂ】ＧＲＥの入札者が支払いを完了し、自分が表示したいコンテンツをアップロードしたときの公開されたＳＤＳを示す画面の一例
【図６Ａ】利用者の販売用のＧＲＥのリストを示す画面の一例
【図６Ｂ】図６Ａに示す販売用のＧＲＥの詳細を示す画面の一例
【図７Ａ】利用者の経歴を示す画面の一例
【図７Ｂ】利用者が別の利用者の経歴を見るためにシステムにアクセスし得る方法を示す画面の一例
【図７Ｃ】利用者が別の利用者のまたは自分の提携者一覧を見るためにシステムにアクセスし得る方法を示す画面の一例
【図７Ｄ】利用者が別の利用者のまたは自分の翻訳者一覧を見るためにシステムにアクセスし得る方法を示す画面の一例
【図８Ａ】利用者が別の利用者または自分の公開されたブリーフィングの一覧を見るためにシステムにアクセスし得る方法を示す画面の一例
【図８Ｂ】利用者が「リンク」形式のブリーフィングを公開するためにシステムにアクセスし得る方法を示す画面の一例
【図８Ｃ】利用者が「写真」形式のブリーフィングを公開するためにシステムにアクセスし得る方法を示す画面の一例
【図８Ｄ】利用者が「動画」形式のブリーフィングを公開するためにシステムにアクセスし得る方法を示す画面の一例
【図８Ｅ】利用者が「プレスリリース」形式のブリーフィングを公開するためにシステムにアクセスし得る方法を示す画面の一例
【図９】利用者がＱ＆Ａセッションに参加するためにシステムにアクセスし得る方法を示す画面の一例
【図１０】利用者が自分の提携者の更新情報を見るためにシステムにアクセスし得る方法を示す画面の一例
【図１１Ａ】本発明の一実施形態による、コンテンツ公開、広告サービス、および報酬回収間の統合のための方法を示す流れ図
【図１１Ｂ】図１１Ａの続きの流れ図
【図１１Ｃ】図１１Ａの続きの流れ図
【発明を実施するための形態】
【００１１】
本明細書の全体を通して、本発明の実施形態を説明するとき、環境および／または持続可能な開発は公開されたコンテンツの一例として使用する。それでもなお、本発明は他の種類のコンテンツにも等しく適用可能である。利用者は自分が望む如何なるものも公開することができ、さらに金銭的報酬を得ることができる。
【００１２】
気候変動との闘い、温室効果ガスの排出量を制御する、総体的だが実用的な持続可能な開発のための戦略を作成することは、持続可能な開発の目標を世界的に達成し、人類が自然と調和して生活できるようにするために極めて重要である。国連経済社会局、持続可能な開発部によれば、アジェンダ２１の第８章は、各国の経済的、社会的、および環境的な政策および計画を一緒に進め補完する、持続可能な開発のための国家戦略（ＮＳＤＳ）を策定することを国々に促進する。１９９２年にブラジル、ジャネイロの国連環境開発会議（ＵＮＣＥＤ）の結果策定されたアジェンダ２１は、環境ガイダンスを世界的に提供する包括的な行動計画である。１９９７年には国連総会の特別議会がＮＳＤＳの重要性を再度強調し、各国に自国のＮＳＤＳを２００２年までに策定するように要求している。さらに、世界社会開発サミット（ＷＳＳＤ）は各国に自国のＮＳＤＳを２００５年までに実施することを唱える。最近では、国連ミレニアム宣言が持続可能な開発の基本方針を国策および国家プログラムに取り入れることを各国に促している（ｈｔｔｐ：／／ｗｗｗ．ｕｎ．ｏｒｇ／ｅｓａ／ｄｓｄ／ｄｓｄ＿ａｏｆｗ＿ｎｓｄｓ／ｎｓｄｓ＿ｉｎｄｅｘ．ｓｈｔｍｌ）。
【００１３】
持続可能な開発の環境的、経済的、および社会的側面を考慮する包括的ＮＳＤＳを策定する重要性は、様々な国際専門機関の会議および宣言によって明らかである。しかし、ＮＳＤＳを報告する現在の方法並びに持続可能な開発に関連する情報および／または公共政策をやり取りするフォーマットに以下のような問題がある。
【００１４】
一部の国は自国のＮＳＤＳを公開し、インターネットおよび国連のウェブポータルを介してアクセス可能にはなっているが、多くの場合、様々な国の市民はそれらをどのように検索するのか、または大量な情報を一般に理解できる簡潔なフォーマットにどのように翻訳するのかをわからない。
【００１５】
ＮＳＤＳは、しばしば一か国語または二か国語でしか提示されず、従って持続可能な開発の差し迫った地球規模の問題に効率的に対処できず、国家間のかかる情報のやり取りも支援されていない。
【００１６】
例えＮＳＤＳの読者および研究者がデータベースやインターネットなどの電子媒体によって国のＮＳＤＳに関する情報を得ることができても、多くの場合、そのフォーマットはインタラクティブになっていない。つまり、読者および研究者は、概して、国のＮＳＤＳまたは任意のＮＳＤＳの認知度を高めるのを助けるために、ＮＳＤＳにコメントし、ＮＳＤＳを推薦し、または、他言語に翻訳するのを助けることが容易にできない。さらに、読者および研究者は、お互いに簡単に連絡したり、特定のＮＳＤＳを理解するのを助ける翻訳者を探したり、または、提携関係を結んで特定のＮＳＤＳの承認／不承認についての考えや気持ちを共有することができない。
【００１７】
読者および研究者が、ＮＳＤＳの著者または国のＮＳＤＳに対する全体のスポークスパーソンを探すのが困難な場合がある。その結果、ＮＳＤＳの著者、読者、研究者、政策立案者は、互いを助け合ってＮＳＤＳを改善し、持続可能な開発に全体的に利するために、容易に質問しまたは質問に回答することができない。
【００１８】
ＮＳＤＳは、様々な単位、標準、言語、および形式を使用する国々によって提示される。このことは、とりわけ他国のＮＳＤＳと持続可能な開発の活動を理解しようとしている国の政策立案者、研究者、および市民に混乱を招く場合がある。
【００１９】
その名前が示唆するように、持続可能な開発のための国家戦略（ＮＳＤＳ）は、国レベルでの総体的な環境戦略である。このＮＳＤＳは各国の多数の企業、組織、および個人の活動に基づき、それらを対象とするが、多くの場合、それらの企業、組織、および個人は、自分の個人的な持続可能な開発のための戦略を、標準化された一般に理解できるフォーマットで電子媒体を介して公に報告しまたは共有することができない。例えば、ある個人が世間一般と共有するための有用で個人の持続可能な開発のための戦略を持っている場合があっても、現在の方法によれば、その人は自分のアイデアを標準化されたフォーマットで簡単に紹介し、自分の観客と対話を交わすことができない。「グリーン製品」または特定の持続可能な活動を生み出した企業も、製品固有または企業固有の自社の持続可能な開発のための戦略を共有したい場合がある。
【００２０】
上述の問題の他に、ブログやソーシャルネットワーキングサービスなど、コンテンツをオンラインまたは電子媒体を介して公開することに対して、利用者が報酬、特に金銭的報酬／対価を受け取っている方法にも問題がある。例えば利用者が、広告サービス（グーグルアドセンスなど）を使用することにより自分のコンテンツの貢献に対して金銭的報酬を受け取ることを望みながら、自分の持続可能な開発に関連する戦略／アイデア／情報、または全般的な任意のコンテンツを自分のブログ／ウェブサイト上で公開する場合、その利用者は以下の問題に直面する可能性がある。
【００２１】
利用者は、多くの広告サービスを利用／導入するために申込みをしなければならない。利用者が自分のウェブサイトおよび／またはブログ上で十分な訪問者／閲覧者が得られなかった場合、このようなサービスを使用することを最初に拒否される場合がある。その場合、利用者が、たまたま有用な持続可能な開発のための戦略を持ち、または全般的な任意のコンテンツを自分のウェブサイト／ブログ上で公開したいと思っているが、最初に「訪問者数」の要件を満たさない場合、その利用者は自分のコンテンツの貢献および公開に対して金銭的報酬をすぐに受け取ることができない。
【００２２】
グーグルアドセンスなどの広告サービスは、しばしばその主な特徴の１つが利益の分配だと主張している。つまり、広告サービスは概して広告主から回収する金額を、自らの広告サービスを使用するコンテンツ公開者またはウェブサイトの所有者と共有する。しかし、これらの広告サービスは、一般に広告主から回収する金額を正確に言っていない場合がある。さらに、広告サービスとそのサービスを使用するコンテンツ公開者との間の利益分配計画は完全には明瞭でない。例えば、コンテンツ公開者は、広告サービスが広告主から回収する利益または収益の正確に３０％を自分が回収しているのか、または６０％を自分が回収しているのか分からないことがある。収益／利益の割当は多くの場合、完全には開示されない。
【００２３】
グーグルアドセンスや同様のサービスを使用するコンテンツ公開者またはウェブサイトの所有者は、自分の金銭的報酬を受け取るために、多くの場合、一定の「閾値」を上回るまで待たなければならない（人々が広告をクリックしまたは単に閲覧することによって得る収入が＄１００に達するまで待つことなど）。このような過程は、コンテンツ公開者が自分の金銭的報酬を（小切手形式などで）受け取るために、最大数週間、数ヶ月、さらに人によっては数年と長くかかる場合がある。
【００２４】
自分のブログ／ウェブサイト上で広告サービスを利用する殆どのコンテンツ公開者またはウェブサイトの所有者について、それらの者の収入はクリック単価（ＣＰＣ）または１０００インプレッションあたりの単価（ＣＰＭ）に基づく。つまり、コンテンツ公開者は（自分以外の）他人が広告をクリックしたとき、またはインプレッションが生じたときに収入が発生する。何れも起こらない場合には、コンテンツ貢献者／ウェブサイトの所有者は収益を発生させることができない可能性がある。
【００２５】
グーグルアドセンスまたは同様のサービスを使用する殆どのコンテンツ公開者またはウェブサイトの所有者について、それらの者は自分のコンテンツ／ブログ／ウェブサイトの価値および／または自分の広告枠の価格を決める機会を持っていない。つまり、コンテンツ公開者／ウェブサイトの所有者は、広告用の自分の使用可能枠の「基準価格」を設定することができない。例えば、ある利用者は、自分の広告枠に少なくとも＄５０．００の価値があり、興味がある広告主は、その基準価格に少なくとも等しくまたはそれを上回る入札を行う必要があると、決めることができる。殆どの広告サービスは、コンテンツ公開者に自分の広告枠の価値を決めさせるのではなく、枠の価値を競売によって広告主に決めさせる。
【００２６】
広告サービス（グーグルアドセンスなど）は、広告が広告競売において競合し、最も高い収益を発生させる広告を広告サービスのシステムが自動的に選択すると主張している。しかし、広告サービスを導入する利用者は、自分の広告枠に誰が入札しているのかを知って、広告の競売が本当に最も高い収益を発生させる広告を選択しているのかを確かめるために、十分には関与できないかもしれない。
【００２７】
本発明によれば、上記の問題に対処するための方法およびシステムを提供する。この方法およびシステムは、利用者が持続可能な開発のための戦略（ＳＤＳ）を個人レベルで並びに国家レベルで報告し、やり取りすることを可能にする。個人とは、個人だけでなく会社、企業、組織、学校、家族、および、それぞれの国の代表的な政府機関以外のあらゆる種類の組織を指す。他方で、国家とは、国、州、および／または地域共同体の管理機関を指す。
【００２８】
さらに、この方法およびシステムは、世界的に持続可能な開発のためになるように、利用者が環境に優しい戦略、アイデア、法令、政策、動向、製品、情報、他の任意の国際情勢、政治情報、関連情報、および、全般的な任意の情報を、国際的に言葉の壁を越えてやり取りすることが可能になる。従って、人々は、政府機関の要員に実際に参加することなく、選挙を行うことなく、または国連総会などの国際会議に個人で出席することなく、母国の代表者になることができる。
【００２９】
この方法およびシステムは、利用者が、自分の国際的な提携を構築すること、翻訳者を探すこと、ＳＤＳの著者または広くはコンテンツ公開者とやり取りすること、様々な国のＳＤＳおよび「グリーン文化」について学ぶこと、および言語力を磨くことも可能にする。どの個人、会社、企業、組織、学校、家族、および任意の種類の有機体も、この方法およびシステムにより、一般に理解できる簡潔なフォーマットで自分のＳＤＳの、プロモーションを行うことができる。
【００３０】
さらに、この方法およびシステムは、利用者がオンラインでコンテンツを公開することに対して金銭的対価を受け取ることを可能にする。報酬（特に金銭的報酬）の受け取りとオンラインでのコンテンツの公開のために、このシステムおよび方法を一般的に適用することができる。つまり、公開されるコンテンツは必ずしも例示する環境および／または持続可能な開発に関係するものでなくても良い。
【００３１】
本発明による方法およびシステムは、インタラクティブな電子ＳＤＳ（および他の関連情報）の報告、環境に優しい戦略、アイデア、法令、政策、および情報（または他の全般的な国際情勢および政治情報）のやり取り、並びにコンピュータ、モニタ、データベース、インターネット、および／またはｉＰａｄ（登録商標）（やタブレットＰＣ）および／または携帯機器などの他の電子媒体を使用するオンラインサービスでコンテンツを公開することに対する金銭的報酬の受取りを提供する。
【００３２】
本システムは、何時でも利用者によってインターネット上でインタラクティブなアクセスが十分にできるようにする。一実施形態では、本システムをＰＨＰ、ＭｙＳＱＬ、Ａｐａｃｈｅ、ＪａｖａＳｃｒｉｐｔ（登録商標）、Ａｊａｘ、ＪＱｕｅｒｙ、ＣＳＳ、およびＨＴＭＬを使って構築することができる。あるいは本システムは、ＡＳＰ、ＪＳＰ、Ｊａｖａ（登録商標）、Ｐｙｔｈｏｎ、Ｒｕｂｙ、ＣｏｌｄＦｕｓｉｏｎや他のウェブプログラミング言語などの他の一般的なウェブプログラミング言語、およびＯｒａｃｌｅ、Ｍｉｃｒｏｓｏｆｔ  ＳＱＬ  Ｓｅｒｖｅｒ、ＰｏｓｔｇｒｅＳＱＬや他の一般的なデータベース技術などの他のデータベース技術を使用して構築することができる。使用可能な他の技術には、これに限定されるものではないが、Ｆｌａｓｈ、ＡＪＡＸ、Ｃｌｏｓｕｒｅ、Ｊａｖａ（登録商標）  Ｓｅｒｖｌｅｔｓ、Ｂｉｇ  Ｔａｂｌｅ、Ｃｏｌｏｓｓｕｓ、ＭａｐＲｅｄｕｃｅ、ＮｏＳＱＬ、Ｃａｓｓａｎｄｒａ、ＨＢａｓｅが含まれる。
【００３３】
図１は、本発明の一実施形態による、コンテンツ公開、広告サービス、および報酬回収間の統合のための一例であるシステム１０の図である。図１を参照すると、システム１０は、サーバ２０および複数のユーザ装置３０を含むことができる。サーバ２０とユーザ装置３０とは、通信ネットワーク（番号を付していない）を介して互いに通信することができる。通信ネットワークは、インターネットまたはワールドワイドウェブ、広域ネットワーク（ＷＡＮ）、ローカルエリアネットワーク（ＬＡＮ）、および／またはエクストラネットを含み得る。ユーザ装置３０は、パーソナルコンピュータ、携帯情報端末（ＰＤＡ）、スマートフォン、ラップトップ、他の携帯機器などのコンピューティング装置をそれぞれ含むことができる。
【００３４】
サーバ２０は、プロセッサ２１、記憶装置２２、コンテンツ公開モジュール２３、広告サービスモジュール２４、および報酬回収モジュール２５を含むことができる。本発明による方法およびシステムは、後述の実施形態で説明されて、モジュール２３から２５のそれぞれの役割および機能が明らかになるであろう。
【００３５】
最初に、利用者が本システムおよび方法にアクセスするために、その利用者は、ログインまたは登録プロセス内で要求される情報を提供するよう求められる。その情報は、インターネットを介して送信されるＰＨＰページ上で入力されても良い。あるいは、ウェブページがＡＳＰなどの他の種類の技術を使用して作成されている場合には、アカウント（または「ミッションオフィス」）を作成するために要求される情報は、その技術に固有の言語で入力される。初回ユーザについては、要求される情報は、これに限定されるものではないが、名、姓、性別、電子メール、パスワード、国籍、母国語、並びに、誕生月と年を含む。システムの登録時に、利用者に個人番号（またはＩＤ）が割り当てられ、その利用者は図２に図示する自分の「ミッションオフィス」にアクセスすることができる。既に登録を行って個人番号（またはＩＤ）を得ている利用者については、その利用者は単純に自分の電子メールとパスワードでシステムにログインし、自分の「ミッションオフィス」にアクセスすることができる。本システムの一実施形態では、利用者がシステムに登録しなくとも、上位３つの最新の最も閲覧された、最も推薦された、最もいい翻訳が行われたＳＤＳを見ることを可能にする。
【００３６】
あるいは、本システムは、システムに登録しないで閲覧可能なＳＤＳまたはコンテンツの数を変更できるようにプログラムすることができる。例えば、５つのまたは全ての既存のＳＤＳもしくはコンテンツが、システムに登録しないで閲覧可能である。本システムは、公開された任意のＳＤＳおよび他のコンテンツを見るために、利用者の登録を要求するようにプログラムすることもできる。最新の最も閲覧された、最も推薦された、最もいい翻訳が行われたＳＤＳまたはコンテンツの他に、「最も収益性が高い」や「最も割引がある」などの他のカテゴリを含めることもできる。
【００３７】
図２は、システムへのログイン後の利用者のメインメニューページ、つまり、自分のミッションオフィス７８を示す画面の一例である。図２を参照すると、利用者は、ニュース８０を選択することにより自分の提携者の更新情報を見ることができ、経歴８２を選択することにより自分の経歴を編集することができ、提携者８４を選択することにより自分の提携者の一覧を見ることができ、翻訳者８６を選択することにより自分の翻訳者の一覧を見ることができ、ＳＤＳ８８を選択することにより自分の個人的な持続可能な開発のための戦略を公開することができ、メモ８９を選択することによりＳＤＳ以外のコンテンツまたは資料を公開することができ、ＧＲＥ９０を選択することにより自分の現在売りに出している「グリーン不動産」（つまり、広告に使用可能な枠）を見ることができ、ブリーフィング９２を選択することによりブリーフィングを公開することができ、Ｑ＆Ａ９４を選択することにより質問したり／質問に答えたりすることができる。
【００３８】
先に述べたように、利用者が公開できるコンテンツは、環境および／または持続可能な開発に関係するＳＤＳに限定されるものではない。便宜上、本開示の様々な実施形態の中でＳＤＳを一例として使用する。
【００３９】
フィールドボックス９６内に国籍、言語、または名前を入力することにより、利用者は提携者および／または翻訳者を検索することができる。さらに利用者は、題名、カテゴリ、著者名、およびコンテンツのキーワードにより、公開されたＳＤＳおよびメモを検索することもできる。最後に、利用者は現在売りに出ているＧＲＥを、その題名、コンテンツ、および入札額によって検索することもできる。検索機能は、システムのデータベース内に存在する可能性があるいかなるものも検索することができる。「おめでとう！」メッセージ９８は、他のＳＤＳを公開して、金銭的報酬が得られる可能性があるＧＲＥの区画を販売する別の機会があると、利用者に知らせる。
【００４０】
「［利用者の名］は提携にあなたを招待しています」メッセージ１００は、提携を形成するために利用者が別の利用者から招待を受け取けたときに利用者に知らせます。この例では、ＭａｒｉｅとＨｏｗａｒｄが、提携者になるようにＪｏｙｃｅ（ミッションオフィスの所有者）を招待している。
【００４１】
「［利用者の名］は翻訳にあなたを招待しています」メッセージ１０２は、その人の翻訳者になるように利用者が別の利用者から招待を受け取けたときに利用者に知らせます。この例では、ＪｅｎｎｙとＨｅｎｒｙが、自らの翻訳者になるようにＪｏｙｃｅを招待している。
【００４２】
推薦１０４は、利用者が効果的なＳＤＳ、参考になるブリーフィング（これに限定されるものではないが、図８Ｂに示すようにリンク、写真、映像、およびプレスリリースを含み得る）、およびＳＤＳの役に立つ翻訳を公開することで獲得した総推薦数を示す。これらは例に過ぎない。総推薦数は、例えば利用者が有用な覚書を公開すること、興味がある質問および貴重な回答に貢献すること、または詳細なレジュメ／経歴を提供すること等で獲得した推薦も含み得る。
【００４３】
総翻訳数１０６は、利用者が翻訳したＳＤＳの数を示す。
【００４４】
ＧＲＥ取引評価１０８は、利用者が自らのＧＲＥの買手および／または売手から受け取ったフィードバック評価を示す。
【００４５】
好意的なフィードバック１１０は、利用者のＧＲＥの買手／売手によって与えられる肯定的な評価の割合を示す。この割合は、肯定的な評価の数を肯定的な評価と否定的な評価の全ての和（評価の総数）で割って計算される。
【００４６】
数字バッジ１１２は、利用者の現在の「ランク」を示す。利用者のランク（様々な数字のバッジによって示される）は、利用者が効果的なＳＤＳおよび他の種類のコンテンツ（「メモ」や「ブリーフィング」など）を公開することで獲得した推薦の数に基づくことができる。先に述べたように本システムの目的は、利用者が（特に持続可能な開発に関係する）政策および情報を効率的に共有できるプラットフォームを提供することである。さらに、本システムの使命は、利用者が選挙を行うことなくまたは政府に要員として実際に参加することなく、政府高官または母国の代表者になることができるプラットフォームを提供することである。したがって、バッジの数字は、利用者にとって、効果的なＳＤＳを公開し、質の高いコンテンツを共有するインセンティブとして働くかもしれない。但し先に述べたように、公開されるコンテンツはＳＤＳに限定されるものではなく、他の種類のコンテンツも含むことができる。
【００４７】
最新のＱ＆Ａ１１４は、Ｑ＆Ａ９４からの直近の３件の質問および／または回答を示す。
【００４８】
最新の翻訳１１６は、利用者のＳＤＳの直近の３つの翻訳を示す。
【００４９】
招待状を送る１１８は、利用者が、提携者、翻訳者、推薦者、および／または自分のＧＲＥの購入者になる可能性がある人を本システムおよび方法を使用して招待することを可能にする。
【００５０】
私のグリーン不動産（ＧＲＥ）１２０の管理を選択することにより、利用者は、図４Ａに示すＧＲＥの販売／購入のメインメニューにアクセスし、推薦されたＳＤＳとメモを公開したことに対する金銭的報酬を得ることができる。覚書（「メモ」）のフォーマットは、ブログのエントリまたは日記／ジャーナルのエントリと同様であってもよい。
【００５１】
あるいは、利用者の提携者の更新情報を表示すること以外にも、ニュース８０は、利用者の翻訳者の最新の翻訳など、利用者の翻訳者の更新情報、売りに出ているＧＲＥ、新たに公開されたＳＤＳおよびブリーフィング等も含むことができる。ニュース８０は、一般的な持続可能な開発についての最新ニュース、例えば炭素取引の規則に関する政策変更について利用者に最新情報を提供することもできる。さらに、ニュース８０は、利用者が、企業／組織／学校／製品についての最新の更新情報および「グリーン」製品の発売を、予約して入手できるようにすることも可能である。最後に、ニュース８０は、全般的なローカルニュース、全国ニュース、および世界のニュースを含むこともでき、利用者が最新情報に素早くアクセスできるようにしている。
【００５２】
ＳＤＳ８８およびメモ８９に関し、一実施形態では、初回ユーザは、ＳＤＳおよび／またはメモ８９内の他の任意の種類のコンテンツは、最初にドラフトを作成する３つの機会から始めることができる。つまり、利用者は、最初は３つのＳＤＳおよび覚書しか公開することができないが、但し、それらの１つで少なくとも５件の推薦を獲得した場合は別である。利用者が、自分のＳＤＳまたは覚書（どんな種類のコンテンツを含んでも良い）の１つで少なくとも５つ以上の推薦を獲得すると、すぐに、その利用者は別のＳＤＳまたは覚書を公開する機会を得る。同時に、その利用者は、自分が推薦をそこから獲得するＳＤＳまたは覚書の隣の位置にある（広告若しくは他の同様の用途、またはグリーティングカードを送るなどの他の用途に使用可能な）空きスペース／枠である「グリーン不動産（ＧＲＥ）」の区画に値段を付けて売る機会を得る。本システムは、その時点で、利用者がドラフトの作成が認められているＳＤＳまたは覚書の数を示すメッセージを提供することができる。
【００５３】
利用者が公開できるＳＤＳおよび覚書の数、または、広告に使用可能な枠を売るために利用者が獲得しなければならない推薦の数に、制約または所定条件を課す理由は、利用者がシステムにアップロードするコンテンツの品質を確保するためである。ＦａｃｅｂｏｏｋやＴｗｉｔｔｅｒなどのオンラインソーシャルネットワークは、コンテンツをオンラインで容易にかつ素早く公開するという利便性を利用者に与えたが、これらのオンラインソーシャルネットワークは、間接的に、利用者がコンテンツの品質、目的、および効果に気を使うことなく無限のコンテンツをオンラインで共有する方法も提供することになる。オンライン情報が過多になることは、利用者が本当に教育的で有用な情報を受け取ることを妨げるのと同時に、利用者が本当に探したい情報を得るために、端から端まで情報をフィルタにかけるのに利用者がより長い時間を費やす場合がある。情報の過度の共有も、ＧｏｏｇｌｅやＦａｃｅｂｏｏｋなどのウェブサイトに、共有情報を記憶するためのさらに多くのデータセンタを建設することを促している。このようなビルを建築することは、必ずしも環境に対して最良の影響を与えない可能性がある。
【００５４】
本発明の一実施形態では、利用者が公開できるコンテンツの量について、または広告に使用可能な枠（別名ＧＲＥ）を売るために利用者が獲得しなければならない推薦の数について制約を課し、若しくは所定条件を作成することにより、本システムは利用者が質の高いコンテンツをアップロードするための「フィルタ」およびインセンティブを与える。利用者が作成したコンテンツが、一定数の推薦を獲得する場合に限り、その利用者にさらに多くのコンテンツを公開する機会を与え、ＧＲＥの区画（即ち自分が作成したコンテンツの隣に位置する、広告もしくは他の同様の用途、または、グリーティングカードを送るなどの他の用途に使用可能な枠）を売って儲ける機会を与えることができる。従って、良く考えられたコンテンツを利用者が公開すると、その利用者は閲覧者の推薦を手に入れるだけでなく、広告に使用可能な枠を売って儲ける機会も得る。それと同時に、推薦が仮想的な好意的意見を送るに過ぎない一般的なウェブサイトとは対照的に、上記の実施形態では、コンテンツの推薦者が、仮想的な支持を送ることに加え、そのコンテンツの著者が収入を得る可能性を受け取ることも助けることができる。
【００５５】
あるいは、本システムは、各利用者が、任意の種類のコンテンツを含み得るＳＤＳまたは覚書を公開するのに３つ以上または以下の機会から始めるようにプログラムするようにしてもよい。この最初の数は変更しても良く、または最初に公開できるＳＤＳもしくは覚書の数について、制約または所定条件がないように本システムをプログラムしてもよい。さらに、別のＳＤＳまたは覚書を公開し、ＧＲＥの区画を売って儲けるために利用者が獲得しなければならない推薦の数は、システムがプログラムされる方法に応じて異なるようにしてもよい。例えば、少なくとも５件の推薦を獲得する代わりに、広告に使用可能な枠を売るために、利用者が公開されたＳＤＳまたは覚書について少なくとも１０件の推薦を獲得しなければならないように、または２件の推薦を獲得していれば良いようにシステムをプログラムすることができる。もう１つの選択肢は、利用者が別のＳＤＳ／覚書を公開し、またはＧＲＥの区画を売るために獲得しなければならない推薦の数に対し、システムがいかなる制約も所定条件も課さなくても良いことである。つまり、利用者は自分の公開されたＳＤＳまたは覚書（やはり任意の種類のコンテンツを含み得る）に対して一切推薦を得ることがなくともＧＲＥを売ることができる。
【００５６】
さらに多くのＳＤＳまたは覚書（概して任意の種類のコンテンツを含み得る）を公開し、ＧＲＥを売る機会は、他の様々な組み合わせでプログラムすることもできる。例えば、利用者は５つのＳＤＳで開始して、２つ以上のＳＤＳを公開し、３区画のＧＲＥを売るためには少なくとも１０件の推薦を獲得することが求められる。この場合もやはり、利用者が最初に公開できるＳＤＳ／覚書の数と、利用者がさらに多くのＳＤＳ、覚書、またはコンテンツを公開するために獲得しなければならない推薦の数と、利用者が広告用または他の用途で売ることができる枠の数は、ゼロから無限にまでおよぶ。
【００５７】
利用者が、非常に効果的なＳＤＳまたは非常に有用な覚書を公開し、一定の期間内に多数の推薦を獲得する場合、その利用者は通常よりも多くのＳＤＳもしくは覚書を公開し、通常よりも多くのＧＲＥを売り、かつ／または、自分のＧＲＥが売れた場合はより高い利潤分配率を獲得することが認められ得るようにシステムをプログラムすることもできる。
【００５８】
もう１つの代替策は、利用者が、これ以上のＳＤＳもしくは覚書を公開する、または、ＧＲＥを売るために推薦を一切獲得しなくても良い場合があることである。即ち、ある者が公開できるＳＤＳおよび覚書の数、並びに儲けるためにＧＲＥを売ることができる機会の数に対する制約をなくすようにしてもよい。その結果、利用者は自らが望むいかなる数のＳＤＳまたは覚書も公開することができ、ＧＲＥを売るために自分のＳＤＳまたは覚書に対して一切推薦を獲得する必要がない。ＧＲＥの区画が売れると、利用者とシステム所有者が収益を分配することができる。
【００５９】
図３Ａは、利用者が、さらに多くのＳＤＳを公開するためのさらに多くの推薦を得た後、図２に示すＳＤＳタブ８８を表示する方法を示す画面の一例である。図３Ａを参照すると、利用者が公開したＳＤＳの一覧が示されている。利用者が、題名１２６の下に現れるテキストリンクをクリックすると、利用者は図３Ｃ、図５Ａ、および図５Ｂに示すＳＤＳの詳細に導かれる。カテゴリ１２８は、ＳＤＳが関係する主題を示す。例えば、ＳＤＳが炭素を減らすために植樹することに関する場合、そのＳＤＳは森林または空気に関係し得る。日付１３０は、ＳＤＳが公開された日時を示す。
【００６０】
図３Ｂは、利用者がＳＤＳを公開するために提供できる情報を示す画面の一例である。持続可能な開発は、エネルギー効率や炭素放出の削減などの多くの異なる方法で測定することができる。測定の様々な方法は、多岐にわたるグリーン情報をもたらし得る。その結果、図３Ｂに示すフォーマットは、貨幣価値を考慮に入れた自分のＳＤＳを共有するように利用者に依頼することにより、持続可能な開発のための戦略およびグリーン情報の報告を標準化することができる。具体的な項目には以下のものが含まれる。
【００６１】
（１）「関連画像」１３２。画像はＳＤＳのコンテンツに関係するものとする。
【００６２】
（２）「題名」１３４。このボックス内にＳＤＳの題名を入力するものとする。
【００６３】
（３）「カテゴリ」１３６。利用者は自分のＳＤＳが最も関連するカテゴリを選択するものとする。カテゴリは、これだけに限定されないが、農業、電機製品、構造／建築、空気、生物多様性、ビジネス／金融、化学、経済、教育、エネルギー、ファッション、食料、森林、園芸、健康、土地、機械、材料、海洋／海／海岸、技術、観光、輸送、廃棄物、水等を含む。
【００６４】
（４）「あなたの持続可能な開発のための戦略（ＳＤＳ）」１３８。利用者はここに自分のＳＤＳを入力するものとする。システムは、利用者がここに入力する文字量を制限することができ、すなわち図３Ｂに示すようにＳＤＳは５００文字以下である必要がある。これは、自分のＳＤＳを簡潔な形式で共有するように人を促すためである。同時に、読者になる可能性がある人は著者のＳＤＳをより短い時間内に素早く把握することができる。但し、許可された文字数に対する制約がないように、または、様々な文字数の制約を課すようにシステムをプログラムすることもできる。
【００６５】
（５）「あなたのＳＤＳが得ることができる金額」１４０。ここでは、利用者は米国ドルで金額を入力するものとする。この数字は、述べられたＳＤＳが実施される場合に実際に得られるまたは得られる可能性がある金額を示すものとする。さらに、報告した金額を取得するのにかかる時間を指示しても良い。つまり、利用者は時間の長さを「１日」、「１週間」、「１ヶ月」、および「１年」から選択することができる。あるいは、金額が米国ドル単位でなくても良く、円やユーロなどの他の通貨の単位であるようにシステムをプログラムすることもできる。本システムは、利用者が最も使い慣れている通貨の種類で金額を入力するのを助けるために、通貨変換プログラムを提供することもできる。
【００６６】
（６）「計算方法」１４２。ここで、利用者は、ある者が利用者のＳＤＳを実施する場合に、利用者のＳＤＳが得ることができる金額１４０を計算する方法を記載するものとする。システムは、利用者がここに入力する文字量を制限することができる。これは、読み易くするために明確かつ簡潔な言葉の使用を促すためである。但し、許可された文字数に対する制約がないようにシステムをプログラムすることもできる。
【００６７】
（７）「あなたのＳＤＳが節約可能な金額」１４４。ここでは、利用者は米国ドルで金額を入力するものとする。この数字は、述べられたＳＤＳが実施される場合に、実際に節約する、または節約できる可能性がある金額を示すものとする。さらに、報告した金額を節約するのにかかる時間を指示しても良い。つまり、利用者は時間の長さを「１日」、「１週間」、「１ヶ月」、および「１年」から選択することができる。あるいは、金額が米国ドル単位でなくても良く、円やユーロなどの他の通貨単位であるようにシステムをプログラムすることもできる。本システムは、利用者が最も使い慣れている通貨の種類で金額を入力するのを助けるために、通貨変換プログラムを提供することもできる。
【００６８】
（８）「計算方法」１４６。ここでは利用者は、ある者が利用者のＳＤＳを実施する場合に、利用者のＳＤＳが節約可能な金額１４４を計算する方法を記載するものとする。システムは、利用者がここに入力する文字量を制限することができる。これは、読み易くするために明確かつ簡潔な言葉の使用を促すためである。但し、許可された文字数に対する制約がないようにシステムをプログラムすることもできる。
【００６９】
（９）「あなたのＳＤＳが減らすことができる炭素放出」１４７。ここでは、利用者は自分のＳＤＳが実施される場合にそのＳＤＳが減らすことができる推定炭素放出量を入力するものとする。
【００７０】
（１０）「計算方法」１４９。ここでは利用者は、自分のＳＤＳが実施される場合に減らすことができる炭素放出量を計算する方法を記載するものとする。
【００７１】
（１１）「言語」１４８。ここでは、利用者はＳＤＳのドラフトを作成して、ＳＤＳに題名を与えて、「あなたのＳＤＳが得ることができる金額」、「あなたのＳＤＳが節約可能な金額」の計算方法、そして最後に「あなたのＳＤＳが減らすことができる炭素放出」の計算方法を記載するためにどの言語を使用するのかを示すために、矢印を選択することで一覧から選択を行うものとする。
【００７２】
貨幣価値にして、上記の項目（５）〜（８）は、公開されたコンテンツに関連する事象または活動の評価を助けることができる。例えば、炭素放出は世界的に様々な単位／規格を使用して測定され、その情報は通常は容易に交換されることはない、または公開されない場合もあるので、結果として国、製造業者、企業、および個人間の炭素取引は、情報が不足し、入手可能な場合でもこのような情報をめぐって混乱に見舞われる。図３Ｂに示すフォーマットを使用し、利用者は炭素取引および持続可能な開発に関連する情報を、貨幣価値にして共有することができるようになる。例えば、利用者のＳＤＳは、複数のプラスチック／ガラスボトルを再利用することで儲けた金額、または職場まで車で行く代わりに歩くことで節約した金額に関するものであり得る。プラスチックボトルを再利用する、または、職場まで車で行く代わりに歩くことで削減した炭素放出量を、利用者が正確に計算するのは困難であり得る。しかし、図３Ｂに示すフォーマットを使用し、利用者は自分の「グリーン」情報を貨幣価値にして「定量化する」ことができる。その結果、炭素取引および持続可能な開発のための情報を（一般読者にとっては極めて複雑であり得る）政府の公式報告によって／公式報告から公表／取得する従来の方法と比較し、本発明による方法およびシステムは、政府機関、企業、および個人がこのような「グリーン」情報を殆どの人が理解でき、通常使用する単位（即ち貨幣価値にする）で、および標準化された方法で共有することが可能になる。さらに、図３Ｂに示すフォーマットは、政府機関が炭素取引および持続可能な開発のための情報を金銭面で評価し、持続可能な開発に関する情報を自国民および世界中の人から集めることを可能にし、それにより、炭素取引および持続可能な開発に関連する政策を政府機関が策定するのを助ける。この方法およびシステムの１つの使命は、持続可能な開発のための戦略（ＳＤＳ）が壮大でかつ複雑である必要はないことを、世界中の利用者が理解するのを助けるのに、図３Ｂに示す簡潔かつ一般に理解できるフォーマットはこの使命を強固にする。政府機関がこの方法およびシステムから多くの個人のＳＤＳを検討し、集めることができる場合、自分の国家のＳＤＳおよび持続可能な開発についての報告のドラフトの作成に従事する政府高官および研究者は、集めた個人の「グリーン」情報を使用して包括的な国家のＳＤＳおよび持続可能についての報告を作成することができる。結局のところ、国家の持続可能な開発のための戦略は自国民の声および意見を代表すべきである。
【００７３】
「公開」ボタン１５０を選択することにより、利用者が入力した上記の全ての情報がインターネットを介してシステムに送信される。これらの情報は、システムの登録会員の全てが閲覧することができるようになる。ＳＤＳが上位３つの、最新で、最も閲覧された、最も推薦された、および／または最もよい翻訳が行われたものの１つである場合、そのＳＤＳは登録ユーザも未登録のユーザも、一般に閲覧することができるようになる。
【００７４】
あるいは、ＳＤＳおよび得られる／節約できる金額の計算方法に対する文字制限を増やす／減らす、または完全になくすことができる。「あなたのＳＤＳが儲けることができる金額１４０」および「あなたのＳＤＳが節約可能な金額１４４」フィールドの他の代替策は、利用者が必ずしも金額を米国ドルで入力しなくてもよく、利用者が選択した通貨で入力できることである。ＳＤＳが儲けまたは節約する金額について説明するために利用者が使用したい通貨を選択するのを助けるよう、通貨の選択一覧を提供することができる。「あなたのＳＤＳが儲けることができる金額」および／または「あなたのＳＤＳが節約可能な金額」を利用者が使用したい通貨に変換するのを助けるために、通貨変換プログラムを提示してもよい。図３Ｂに示す情報の全てが利用者に求められる訳ではなく、必要な情報はシステムがどのようにプログラムされるのかに応じて異なり得る。つまり、システムを、フィールドの一部若しくはフィールドの全てが必要なようにプログラムしても、またはどのフィールドも必要ないようにプログラムすることもできる。
【００７５】
図３Ｃは、図３Ｂに示す情報の入力後、公開されたＳＤＳがシステム上でどのように表示され得るのかを示す画面の一例である。図３Ｃを参照し、図３Ｂで全てのフィールドが入力／選択される場合、テキストセクション１５８内に示されているように表示される。
【００７６】
１５２（ＳＤＳの著者）を選択することにより、利用者は図７Ａまたは図７Ｂに示す「経歴」に導かれる。そうすることにより、利用者は著者の背景について、さらに読むことができる。
【００７７】
「＋１」ボタン１６０を選択することにより、利用者はそのＳＤＳを推薦することができる。利用者は自分のＳＤＳおよび他者のＳＤＳを１回しか推薦することができない。この画面は、ＳＤＳの推薦が全く得られないときを示すので、結果として、このＳＤＳの著者は如何なるＧＲＥの区画も売る機会を得ていない。「現在の販売はない」というメッセージがこの状況を示す。このメッセージは、利用者がＧＲＥタブ１５６をクリックするときに表示される。ここでもＧＲＥはグリーン不動産の略であり、利用者のＳＤＳの隣に現れている空きスペース／枠を指す。この空きスペースは、買手がスペースで何を行うかにもよるが、広告またはグリーティングカードを送るなどの他のサービスに使用可能である。ＧＲＥが売られていないので、利用者がスポンサータブ１５４をクリックしても何も表示されない（誰も何も購入できないので誰も何もアップロードできない）。
【００７８】
システムの利用者は、表示されているＳＤＳの翻訳文をボックス１７４内に入力し、選択一覧１７６内で選択を行うことにより翻訳に使用する言語を選択し、インターネット経由で情報を送信するために公開１７８を選択することにより、ＳＤＳの翻訳を手助けすることができる。ＳＤＳの下に幾つかの翻訳文が表示される場合、利用者は、最新１６２、最も古い１６４、最も好まれる１６６を選択し、翻訳文の一覧を選別することができる。さらに、利用者は、選択一覧１６８内で言語を選択し、提出ボタン１７０をクリックして特定の言語の翻訳文だけを閲覧することもできる。例えば、利用者がイタリア語の翻訳文だけを閲覧したい場合、その利用者は１６８内でイタリア語を選択し、提出ボタン１７０をクリックして、表示されているＳＤＳのイタリア語の翻訳文だけを閲覧することができる。
【００７９】
あるいは、著者が自分を推薦できないようにシステムをプログラムすることができる。他人のＳＤＳの推薦に関しては、一定の閾値を上回る場合または一定の要件が満たされる場合、利用者が複数回推薦できても良いようにシステムをプログラムすることができる。ＧＲＥを売るために利用者が推薦を獲得することを求める代わりに、利用者が一切の推薦がなくても、儲けるためにＧＲＥを売ることができるようにシステムをプログラムすることもできる。言い換えると、利用者はＳＤＳを公開するとすぐに自分のＧＲＥの販売を開始して、販売するためにＧＲＥの区画に値段を付けることができる。
【００８０】
ＳＤＳの閲覧者数、ＳＤＳの推薦数、翻訳数、および／またはその特定の利用者の値段付けの好みに応じて（即ち、その利用者の値段付けの履歴に基づいて）、利用者のために自動でＧＲＥに値段を付けるようにシステムをプログラムすることもできる。最新のもの、最も古いもの、最も好まれているもの、および、様々な言語のもの以外に、全ての翻訳文を並べるために、翻訳文を最も推薦されている翻訳文および／または利用者のランクで並べることもできる。
【００８１】
図４Ａは、利用者のＧＲＥを管理するためのメインメニューを示す画面の一例である。利用者が推薦を５件獲得するたびに、その利用者はＧＲＥの区画を売る機会を得る。図４Ａを参照し、この画面は、利用者が図２に示す「ミッションオフィス」タブ７８を選択した後、「私のグリーン不動産（ＧＲＥ）を管理する」１２０を選択した場合を示す。利用者が「あなたのＧＲＥを売ることができるチャンス（あなたのＧＲＥに値段を付けよう！）」１８４を選択すると、その利用者は、図４Ｂに示す自分のＧＲＥの基準価格を設定できるページに導かれる。ＧＲＥの基準価格が設定された時点から始まり、そのＧＲＥは２週間の入札にかけられる。システムの他の登録ユーザは、ＧＲＥの基準価格と少なくとも同じかそれを上回る入札を行うことができる。利用者は、「あなたが現在売っているＧＲＥ」１８６を選択することにより、自分が現在売っているＧＲＥを管理することができる。そうすることにより、利用者が図４Ｄに示す画面の一例に導かれる。利用者が競売を早く終了しなかった場合は２週間の入札期間が終了した時に、利用者のＧＲＥが売れたかどうか、利用者は「あなたが売った、および売れなかったＧＲＥ」１８８を選択して、状況（最高入札額や最高入札者の名前、または誰も入札を行わなかったことなど）を確認することができる。図４Ｅに示すように、ここでは利用者は、ＧＲＥを売ることで得た収益、または入札によって取得したＧＲＥに対して、誰が支払いを行ったか（その場合は取引ＩＤが提供される）、もしくは、まだ支払われていないかも確認することができる。他方で、利用者が他人のＧＲＥに対する自分の入札状況を確認したい場合は、利用者は「入札中のＧＲＥとあなたの入札履歴」１９０を選択することができる。図４Ｆに示すように、このリンクは、自分が（現在の）最高入札者であるかどうか／最高入札者であったかどうか、並びにＧＲＥ競売の開始日や終了日などの他の情報を、利用者が見られるようにする。利用者が他の利用者のＧＲＥに入札を行うときに利用者のプライバシを保護するために、利用者はＧＲＥの競売に使用したい「入札者名」を選択することができる。入札者名を選択するために、利用者は１８２内に名前を入力し、「変更」ボタンを選択して変更することができる。ＧＲＥの購入および「構築」プロセス（即ち表示したいＧＲＥの区画へのコンテンツのアップロード）を完了するために、利用者は「入札により落札したＧＲＥ（支払い状況を見る／あなたのコンテンツをここにアップロードする）」１９２を選択して要求事項を満たすことができる。「構築」プロセスは、利用者が入札によって得たＧＲＥの「空いている」区画にコンテンツをアップロードすることを指す。これを図４Ｇに示す。落札者が時間内にＧＲＥの売手に支払いを行わなかった場合や支払いを一度も完了しない場合は、売手はその入札者をブロックしたい場合がある。他の利用者が自分のＧＲＥに入札するのを売手がブロックしたい他の理由もあり得る。このブロックアクションは、「あなたが売った、および売れなかったＧＲＥ」１８８を選択し、図４Ｅのブロック２５８を選択することによって行うことができる。ブロックを解除するには、利用者は図４Ａの「ブロックリスト」１９４を選択し、図４Ｊのブロック解除３３０を選択するものとする。図２に示す本システムのメイン画面である自分の「ミッションオフィス」に戻るために、利用者は「私のミッションオフィスに戻る」１８０を選択することができる。
【００８２】
あるいは、利用者がＧＲＥを売ったことによる自分の収益を管理することを助ける「勘定残高」と呼ばれるリンクをこのメニュー内に含めても良い。ＧＲＥ競売の時間の長さおよび利用者がＧＲＥを売ることで得ることができる収益額は、システムがプログラムされる方法およびシステムのトラフィック（即ちＧＲＥ取引の数、およびシステムにアクセスしている利用者の数等）に応じて異なり得る。例えば、ＧＲＥの区画は必ずしも２週間の入札にかけられなくても良く、入札期間は１日、１週間、もしくは２ヶ月とすることができ、またはＧＲＥの区画が売れるまで期限がなくても良い。利用者が自分のＧＲＥ競売に使用したい時間の長さを選択できるようにするように、システムをプログラムすることができる。一実施形態では、システムは利用者が自分のＧＲＥの最高入札額の８０％を回収できるようにしているが、この利潤分配率は変更できる。例えば、利用者が一定の閾値を上回る場合または一定の要件を満たす場合には、システムは利用者が９０％回収できるようにプログラムすることができる。ＧＲＥの売手とシステムの所有者との間で任意の量の利潤分配率が可能になるように、システムをプログラムすることができる。利潤分配率をシステム所有者、ＧＲＥの売手、およびＧＲＥの仲介者の間で分けることができるようにも、システムをプログラムすることができる。つまり、利用者がシステムの他の利用者に自分のＧＲＥを売るのを助けた場合には、そのＧＲＥの所有者は、販売を手伝った利用者に一定の金額を支払うことができる。図４Ｂは、利用者が自分のＧＲＥに値段を付けるために、利用できるチャンスにアクセスする方法を示す画面の一例である。図４Ａの「あなたのＧＲＥを売ることができるチャンス（あなたのＧＲＥに値段を付けよう！）」１８４を選択した後、利用者は図４Ｂに示す画面の例を見ることになる。ＳＤＳ／メモタイトルリンクセクション１９６内のＳＤＳ／メモタイトルリンクの１つを選択することにより、利用者はＧＲＥの区画が売る広告に出されているＳＤＳまたはメモに導かれる。さらに、ＧＲＥの区画が売れた場合、ここは「新たに構築される」ＧＲＥが表示される場所でもある。「新たに構築される」ＧＲＥとは、落札者が先に入札した最高額を支払い、「空いている」ＧＲＥ（またはＳＤＳ／メモの隣に表示される空きスペース／枠）にコンテンツをアップロードする場合を意味する。リンクセクション１９６内のタイトルリンクは、利用者がそこから推薦を得るところ（またはＳＤＳ／メモ）に利用者を導きもする。そのような認識により、利用者はＧＲＥを売って儲ける機会（または５件の推薦しかない場合は１度の機会）を得る。
【００８３】
ＧＲＥリンクセクション１９８内の「今値段を付ける」リンクの１つを選択することにより、利用者は図４Ｃに示すように自分のＧＲＥの基準価格を設定するように導かれる。自分がアップロードした情報の価値をシステム所有者または広告主に決めさせる代わりに、自分が公開したＳＤＳ／メモ（任意の種類のコンテンツを含み得る）および公開したコンテンツを取り囲む、広告サービスまたは他の用途に使用可能な余白（別名「ＧＲＥ」）の価値を利用者が決めてもよい。入札者は、この基準金額に少なくとも等しいかそれを上回る入札を行うものとする。開始（日）２００は、利用者が自分のＧＲＥの基準価格を設定できる最初の日時を示す。開始（日）２００は、自分が公開したＳＤＳ／メモのいずれかについて、利用者が５件の推薦を得た日時でもある。利用者のＧＲＥがＧＲＥ競売にかけられるために、利用者は自分のＧＲＥの値段を終了（日）２０２までに付ける必要がある。つまりこの画面は、利用者が自分のＧＲＥの基準価格を設定するまで１週間あることを示している。利用者がこの期限に間に合わない場合、「今値段を付ける」リンク１９８は選択できなくなる。つまり利用者は、ＧＲＥの区画を時間内に値付けしなかったので、５人の推薦を獲得することで得たＧＲＥの区画を売るチャンスを失うことになる。
【００８４】
あるいは、利用者の過去の値付け／販売履歴、自分が公開したＳＤＳ／メモの閲覧者／推薦者の数、自分の値付けの好み、および／または自分の翻訳者／提携者の数等に基づき、利用者のために自動でＧＲＥに値段を付けるようにシステムをプログラムすることができる。さらに、ＧＲＥに値段を付ける期限がないようにシステムをプログラムすることができる。つまり、利用者が一定数の推薦を得るとすぐに、または、利用者がＳＤＳやメモや任意の種類のコンテンツを公開するとすぐに、その利用者は自分のＧＲＥの区画の基準価格を設定するチャンスを取得し、一定の日時までに基準価格を設定する必要はない。利用者は、いかなる期限もなく、いつでもＧＲＥの基準価格を設定できるように選択することができる。
【００８５】
図４Ｃは、利用者が自分のＧＲＥに値段を付けるために提供することを求められる情報を示す画面の一例である。この画面は、利用者が図４Ｂの「今値段を付ける」１９８を選択した後に表示される。
【００８６】
図４Ｃの例示的画面を参照し、項目２０４はＳＤＳの題名だけでなく、売りに出ているＧＲＥの区画が表示される場所も示す。ここは利用者が推薦を得る場所でもある。
【００８７】
項目２０６は、利用者が自分のＧＲＥの区画に値段を付けることができる最初の日を示す。
【００８８】
項目２０８は、利用者が自分のＧＲＥの区画に値段を付けるための期限を示す。利用者は、自分のＧＲＥを宣伝するためにアップロードする画像をフィールドボックス２１２内で選択することができる。このフィールドは必須でも任意選択でも良い。利用者が「アップロード」ボタンをクリックすると、その利用者は枠２１０内で写真をプレビューすることができる。例えば利用者が企業の場合、その利用者は自社のロゴをアップロードすることに決めることができる。利用者が自分の作品または写真をアップロードしたい場合はそうすることもできる。利用者が画像を一切アップロードしないことに決める場合、（図示の通り）デフォルトの写真が表示される。
【００８９】
次に、利用者は自分のＧＲＥの区画の基準価格を設定するために、金額をボックス２１４内に入力するものとする。さらに、利用者は自分が売っているＧＲＥの区画に題名を与えることができる。これは、売手および買手の両者が、売っている／入札している様々なＧＲＥの区画を区別するのを助けるためである。
【００９０】
その後、利用者は自分が売っている区画のＧＲＥについてボックス２１８内に説明を入れることができる。説明２１８は、利用者がどのように自らの基準価格を設定したのかに関するもの（自分が公開したＳＤＳ／メモの閲覧者および／または推薦者の数に基づいて等）にすることができ、または自分がアップロードした作品に関するものでもよい。「私のＧＲＥを今売る」ボタン２２０を押すことにより、利用者は競売手続にかけるために自分のＧＲＥの区画を正式に提出する。そうでなければ、利用者は「キャンセル」２２２を押して値付けアクションを取り消すことができる。
【００９１】
あるいは、利用者が自分のＧＲＥについて競売の期間を選べるようにシステムをプログラムすることができる。競売の時間の長さを選択する機能をここに含めることができる。つまり、利用者は、特定のＧＲＥの区画を２日間の入札または３ヶ月間の入札にでもかけられるように選択することができる。利用者はＧＲＥ競売のいかなる期間も設定しないことにし、単純に自分の意思でいつでも競売を終了するように決めることさえできる。
【００９２】
さらに、本システムの一実施形態では、基準価格が全額で＄１〜＄５，０００の間である必要がある。但し、基準価格が小数、および１セントを上回り無限の金額まで任意の金額を含むことができるようにシステムをプログラムすることができる。利用者が時としてＧＲＥの区画を無料で与える選択肢さえ有することができるように、システムをプログラムすることもできる。別の代替策は、利用者が推薦されたＳＤＳ／メモ／コンテンツを公開することで得るＧＲＥの区画を、システムの別の利用者にギフトとして与えてもよいことである。受取り側の利用者は、ＧＲＥの区画を使用して自分でコンテンツをアップロードしても、ＧＲＥの区画をさらに別の利用者に売ってもよい。
【００９３】
さらに、この画面は利用者が金額を米国ドルで入力するようになっているが、自らが望む任意の通貨を利用者が入力できるようにシステムをプログラムすることができ、システムは通貨変換プログラムをさらに備えることができる。
【００９４】
図４Ｃのフィールドの一部しか必要でないようにも、図４Ｃのフィールドの全てが必要であるようにも、システムをプログラムすることもできる。
【００９５】
図４Ｄは、利用者が現在販売しているＧＲＥの区画を示す画面の一例である。この画面は、利用者が図４Ａの「あなたが現在売っているＧＲＥ」１８６を選択した後に表示される。
【００９６】
自分のＧＲＥの区画に値段を付けるための（図４Ｃに示す）情報を入力した後、利用者は自分のＧＲＥの区画に対する入札過程をここで見ることができる。この画面は、利用者が現在売っている全てのＧＲＥの区画を示す。図４Ｃで利用者がアップロードした画像が、画像セクション２２４内に表示される。
【００９７】
ＳＤＳ／メモ２２６の下のタイトルリンクは、売りに出ているＧＲＥの区画が表示される場所を示す。さらに、ＧＲＥ２２８の下のタイトルリンクは、図６Ｂに示すような売りに出ているＧＲＥの区画の詳細を示す。
【００９８】
基準価格２３０は、利用者が図４Ｃで設定した基準価格を示す。基準価格は、入札者が入札しなければならない最低額である。但し、ＧＲＥの区画が一定期間内に入札が一切入らない場合、このＧＲＥの区画の最初の入札者が基準価格の額を下回って入札することさえできるようにシステムをプログラムすることができる。
【００９９】
最高入札額２３２は、現在の最高入札額またはＧＲＥの区画に誰も入札していない場合は基準価格を示す。
【０１００】
入札者名２３４は、最高入札者の「入札名」を示す。利用者の「入札名」は、利用者が他人のＧＲＥの区画に入札するために使用したい名前である。利用者は、自分の入札名を図４Ａのボックス１８２内で変更することができる。入札名は利用者の実名でもそうでなくてもよい。
【０１０１】
開始（日）２３６は、ＧＲＥ競売の開始日時を示す。競売は、利用者が自分のＧＲＥの区画に値段を付け次第始まる。あるいは、利用者が自分のＧＲＥの区画に値段を付け次第競売が始まることがないようにシステムをプログラムすることができる。代わりに、競売は利用者が選択した任意の時点で開始することができる。
【０１０２】
終了（日）２３８は、ＧＲＥ競売の終了日時を示す。競売が終了すると、そのＧＲＥの区画が売れても売れなくても、図４Ｅに示すようにその取引履歴の記録が「あなたが売った、および売れなかったＧＲＥ」内に表示される。
【０１０３】
入札終了２３９は、利用者がＧＲＥ競売を早期に終了することに決めことができる選択を提供する。つまり、利用者は１週間または２週間の入札期間では完了しないことに決めて、自分が満足する最高入札額を見つけた時点で競売を終えることができる。
【０１０４】
あるいは、一切の交渉なしに自分のＧＲＥの区画を売りたい価格を利用者が設定できるように、システムをプログラムすることができる。つまり、利用者のＧＲＥの区画は、必ずしも競売手続にかけなくてもよい。入札者（即ち買手）は、ＧＲＥの売手が設定した固定価格で利用者のＧＲＥを単純に購入することができる。この場合、ＧＲＥの売手も買手も競売が終了するまでの期間にわたって待つ必要がない。売手は支払いをより早く受け取ることができ、買手は、ＧＲＥの売手とシステム所有者の両方に支払いを完了し次第、新たに取得したＧＲＥを「構築する」（つまりＧＲＥにコンテンツをアップロードする）ことができる。この場合もやはり、ＧＲＥ競売の期限はシステムがプログラムされる方法に応じて異なり得る。利用者の好みに応じて、期限は数分から時間制限が無いようにすることができる。
【０１０５】
図４Ｅは、利用者の売れたＧＲＥの区画（支払い済みおよび未払いの両方）、および売れていないＧＲＥの区画の取引履歴を示す画面の一例である。この画面は、利用者が図４Ａの「あなたが売った、および売れなかったＧＲＥ」１８８を選択した後に表示される。競売の終了時に、そのＧＲＥの区画が売れても売れなくても、その競売の記録がここに表示される。
【０１０６】
販売用のＧＲＥの区画の画像が、画像セクション２４０内に表示される。
【０１０７】
ＳＤＳ／メモ２４２の下のタイトルリンクは、ＧＲＥの場所（即ちＧＲＥの区画がどのＳＤＳ／メモに表示されるのか）を示す。
【０１０８】
ＧＲＥ２４４の下のＧＲＥタイトルリンクの１つを選択することにより、利用者に図６Ｂに示す販売用のＧＲＥの区画の詳細を表示する。
【０１０９】
基準価格２４６は、利用者が図４Ｃで設定した基準価格を示す。
【０１１０】
最高入札額２４８は、競売の終了時のＧＲＥの区画に対する最高入札額を示す。入札がない場合、「なし」が表示される。
【０１１１】
入札者名２５０は、最高入札者の実名を示す。最高入札者の名前を選択することにより、売手は最高入札者に質問し、または自分のコメント／懸念事項を送ることができる。ＧＲＥの売手とＧＲＥの買手との間の対話は両者にしか見えない。
【０１１２】
開始（日）２５２は、競売の開始日時を示し、終了（日）２５４は、競売の終了日時を示す。
【０１１３】
あなたの収益／取引ＩＤ２５６は、利用者が特定のＧＲＥの区画を売ることで稼いだ金額、およびこの取引に関連した取引ＩＤを示す。図示の金額は最高額の所定の割合である。例えばこの画面は、利用者が最高入札額２４８に表示されている最高入札額の７０％を稼いでいることを示す。この場合もやはり、利益分配のシナリオは変えることができ、ＧＲＥの売手とシステム所有者との間で０パーセント〜１００パーセントの間のどこかにあり得る。つまり、ＧＲＥの売手は利益が回収できないか利益の１００パーセントを回収できる一方で、システム所有者も利益が回収できないか利益の１００パーセントを回収することができる。ＧＲＥの購入者が支払いを完了し次第、ＧＲＥの売手は記録に残すための（図４Ｅの２５６に示す）取引ＩＤを得る。
【０１１４】
ブロック２５８は、利用者が入札者（さらに、ＧＲＥの購入者）をブロックできるようにする。つまりブロックされている人は、この利用者の将来の販売用のＧＲＥの区画のどれにも入札することができない。ブロックは、例えばＧＲＥの区画の最高入札者が支払いを一度も完了しない場合に起こり得る。
【０１１５】
フィードバック２６０は、利用者が自分の入札者（または購入者）にフィードバックを与えることを可能にする。図４Ｉに示すように、フィードバックは、文字によるコメントおよび／または数字による評価（＋１、０、−１など）を含み得る。
【０１１６】
この画面は利用者が最高入札額の７０％を得ることを示すが、他の利益分配シナリオを含むようにシステムをプログラムすることもできる。例えば、利用者が一定の閾値を上回る場合または一定の要件を満たす場合、その利用者は時として３０％、８０％、さらに１００％を得ることができる。利用者が自分のＧＲＥを売るために競売にかけないことに決めた場合は、最高入札額２４８は、一切の交渉なしに買手が支払う金額を示すものとする。
【０１１７】
図４Ｆは、利用者が現在入札しているＧＲＥの区画を示す画面の一例である。この例示的画面は、利用者が図４Ａの「入札中のＧＲＥおよびあなたの入札履歴」１９０を選択した後に表示される。ここでは、利用者は自分がシステムの他の登録ユーザから現在入札している（または競売によって購入しようとしている）ＧＲＥの区画の状況を見ることができる。さらに、利用者はここで自分の過去の入札履歴を見ることができる。
【０１１８】
販売用のＧＲＥの画像が、画像セクション２６２内に表示される。
【０１１９】
ＧＲＥ２６４の下のタイトルリンクは、利用者に図６Ｂに示すようなＧＲＥの詳細を表示するように導く。
【０１２０】
売手の名前２６６は、ＧＲＥの売手の名前を示す。
【０１２１】
基準価格２６８は、ＧＲＥの「開始価格」を示す。つまり、この価格は売手が設定した基準価格であり、入札者は自分の入札額をこの金額に少なくとも等しいかそれを上回るように設定する必要がある。
【０１２２】
最高入札額２７０は、利用者が入札しているＧＲＥの区画の現在の最高入札額、または、ＧＲＥの競売が終了するときの落札／最終入札額を示す。
【０１２３】
最高入札者２７２は、競売中の現在の最高入札者の「入札名」、または落札者の「入札名」を示す。
【０１２４】
開始（日）２７４は、ＧＲＥ競売の開始日時を示す。終了（日）２７６は、ＧＲＥ競売の終了日時を示す。
【０１２５】
図４Ｇは、利用者が入札によって取得したＧＲＥの区画を示す画面の一例である。この例示的画面は、利用者が図４Ａに示す「入札により落札したＧＲＥ（支払い状況を見る／あなたのコンテンツをここにアップロードする）」１９２を選択した後に表示される。競売の終了時に利用者がＧＲＥの区画に対して最も高い入札を行っている場合、その利用者が「落札者」になる。利用者が入札によって取得したＧＲＥの詳細が図４Ｇに表示される。
【０１２６】
取得したＧＲＥの画像が、画像セクション２７８内に表示される。
【０１２７】
ＧＲＥ２８０の下のＧＲＥタイトルリンクは、利用者に図６Ｂに示すようなＧＲＥの詳細を表示するように導く。
【０１２８】
売手の名前２８２の下のユーザ名リンクの１つを選択すると、利用者は自らの売手に質問しまたはコメント／懸念事項を送ることができる。この対話は、ＧＲＥの売手およびＧＲＥの買手にしか見えない。
【０１２９】
基準価格２８４は、ＧＲＥの売手が自分の所有権に関して最初に設定した「開始価格」を示す。
【０１３０】
最高入札額２８６は、ＧＲＥに対する落札（最高）入札額を示す。最高入札額２８６は、利用者が落札者である場合にその利用者が競売終了時に支払う金額でもある。
【０１３１】
入札開始（日）２８８は、競売の開始日時を示す。入札終了（日）２９０は、競売の終了日時を示す。
【０１３２】
競売の終了時に、利用者は支払い手順を完了するために「今支払う」３００を選択するものとする。支払い方法は、これだけに限定されないが、クレジットカード（Ｖｉｓａ／Ｍａｓｔｅｒ／Ｄｉｓｃｏｖｅｒ／Ａｍｅｒｉｃａｎ  Ｅｘｐｒｅｓｓ、ＪＣＢ）、小切手、およびＰａｙＰａｌを含む。利用者がＰａｙＰａｌを使用することにする場合、その利用者はＰａｙＰａｌ  Ａｄａｐｔｉｖｅ  Ｐａｙｍｅｎｔｓなどのサービスを使用することにより、自分が回収可能な金額（即ち最高入札額の７０％など、最高入札額の所定の割合）をすぐに受け取ることができる。最高入札者が自分の支払いを完了した後、かかるサービスはＧＲＥの売手とシステム所有者との間で金額を自動で分ける。例えば、利用者がＰａｙＰａｌのＡｄａｐｔｉｖｅ  Ｐａｙｍｅｎｔｓなどのサービスを使用することにより、競売によって取得したＧＲＥの区画に＄１００支払う場合、ＧＲＥの買手がクレジットカードで支払い次第、または自分のＰａｙＰａｌアカウントから送金し次第、ＰａｙＰａｌはＧＲＥの売手のＰａｙＰａｌアカウントに＄７０を自動的に送金し、システム所有者のＰａｙＰａｌアカウントに＄３０を自動的に送金する。このようにして、自分の儲けを回収するために自分の利益が一定の閾値に到達するまで利用者が待たなければならない（即ちグーグルアドセンスなどのサービスを使用する利用者が多くの場合にそうであるように、郵便で小切手を受け取るために利益が＄１００に到達するまで待つ）従来の方法とは対照的に、この方法は利用者が金銭を直ちに回収できるようになる。このステップが完了すると、今支払うリンク３００が消え、支払日２９２が表示され、最後に、利用者は現在アップロード可能２９８という名前のリンクが表示されるのを見る。利用者がこのリンクを選択すると、利用者は図４Ｈに示すような画面の例を見ることになる。利用者は、宣伝／表示したいコンテンツをここでアップロードすることができる。利用者が自分の表示したいコンテンツのアップロードを終えると、現在アップロード可能２９８が消え、フィードバック２９４およびアップロード済み２９６のリンクが表示される。
【０１３３】
フィードバック２９４を選択することにより、利用者は図４Ｉに示すように自分の売主フィードバック／評価を与えることができる。フィードバックは、文字によるコメントおよび／または数字による評価（＋１、０、−１など）を含み得る。利用者がアップロード済み２９６を選択すると、利用者は、「新たに構築される」（別名コンテンツがアップロードされる）ＧＲＥが表示されるＳＤＳまたはメモ（任意の種類のコンテンツを含み得る）に導かれる。表示開始２９３には、ＧＲＥの購入者がコンテンツをアップロードすることに決めた日時が表示される。この日時は、コンテンツがアップロードされたＧＲＥが選択されたＳＤＳまたはメモに表示を開始する開始日時も示す。図４Ｇに示す表示終了２９５は、コンテンツがアップロードされているＧＲＥが選択されたＳＤＳまたはメモ（購入者はここから「空きの」ＧＲＥ枠を入札する）から消える終了日時を示す。ＧＲＥの購入者（入札者）が支払いを完了すると、ＴＭ取引ＩＤ／売主取引ＩＤ２９７が、記録目的で特定のＧＲＥ取引に関連する２つの取引ＩＤを与える。「＋１」２９９は、コンテンツがアップロードされたＧＲＥの閲覧者が図５Ｂに示す「上向きの親指」ボタン３５８を何回クリックしたのかを示す。
【０１３４】
あるいは、「新たに構築される」（コンテンツがアップロードされた）ＧＲＥを任意の期間表示できるように、システムをプログラムすることができる。例えば、かかるＧＲＥを１週間またはそれよりも長くもしくは短く表示することができる。この期間は、１秒から無限の期間までの何時にでもおよぶことができる。利用者が「今支払う」３００を選択すると、その利用者は、競売によって取得したＧＲＥの支払いをシステム経由で行うことができ、または支払い手順を完了するためにリンクが利用者を外部のウェブサイト（ＰａｙＰａｌなど）に導いてもよい。
【０１３５】
ＧＲＥの区画の購入者が、一定の日時までに自分の空きスペース（別名ＧＲＥ）にコンテンツをアップロードすることを要求され得るようにシステムをプログラムすることができる。他方で、利用者が競売によって取得したＧＲＥの区画の中で表示／宣伝したいコンテンツをアップロードしなければならない時点に関し、期日がないようにシステムをプログラムすることもできる。
【０１３６】
図４Ｈは、自分のＧＲＥを「構築する」（または自分のＧＲＥにコンテンツをアップロードする）ために提供するように利用者に求める情報を示す画面の一例である。つまり、利用者が（一実施形態では競売の終了日までに最も高い入札を行うことにより）競売によってＧＲＥの区画を落札した場合、その利用者は広告や他の同様のサービスまたはグリーティングカードを送るなどの他の用途に使用可能なＳＤＳまたはメモ（任意の種類のコンテンツを含み得る）の隣の「空きスペース」を得る。競売によって取得したＧＲＥに支払うことにより、利用者はある期間そのＧＲＥの新たな所有者になる。その利用者は、「空きスペース」（別名グリーン不動産（ＧＲＥ））を、合法で、適切に、かつシステムのコンテンツガイドラインに従う限り自分が望む任意の方法で利用することができる。
【０１３７】
まず、利用者は、自分の空のＧＲＥにアップロードする画像をボックス３０４内で選択することができる。利用者は、自分がアップロードした画像を枠３０２内でプレビューすることができる。画像は、自社のロゴの画像および／または自分が表示／宣伝したいコンテンツ／リンクに関連する画像であり得る。利用者がそのスペースを願い／挨拶を送るための媒体または気持ちを表すための（礼状等や、さらにプロポーズを送るための）媒体として利用したい場合、画像はグリーティングカードの画像でも良い。例えば、ＧＲＥの最高入札者（別名ＧＲＥの購入者）がＳＤＳの著者と友人であり、その友人（ＳＤＳの著者）に誕生日のお祝いを送りたい場合、購入者はここに誕生日を祝うグリーティングカードの画像をアップロードしたい場合がある。そうすることにより、ＧＲＥの購入者はＳＤＳの著者に誕生日のお祝いを送るだけでなく、ＳＤＳの著者である友人に誕生日を祝う一定の金額を送りもする。
【０１３８】
次に、ＧＲＥの購入者は自分が表示／宣伝したいコンテンツの題名をボックス３０６内に入力するものとする。ＧＲＥの購入者が表示／宣伝したいコンテンツの説明は、ボックス３０８内に入力するものとする。購入者は、自分が表示／宣伝したいコンテンツに関連するＵＲＬリンクをボックス３１０内に与えるものとする。このリンクは、利用者を外部のウェブサイトに導き、またはシステムの内外にリンクする一般的なリンクとすることができる。例えばＧＲＥの購入者が自社を宣伝したい場合、その購入者は自社のウェブサイトのＵＲＬをここに入力することができる。
【０１３９】
その後、提出３１２ボタンを選択することにより、入力された全ての情報がインターネットを介して送信され、ＳＤＳまたはメモの隣に表示される。この情報がどのように表示されるのかの一例を図５Ｂに示す。
【０１４０】
あるいは、ＧＲＥの売手が競売用に宣伝するためにアップロードした画像（即ちＧＲＥの売手が図４Ｃでアップロードした画像）をＧＲＥの購入者が使用したい場合、過去にアップロードされた売手の画像をＧＲＥの購入者が保持できるようにシステムをプログラムすることができる。例えば、ＧＲＥの売手がさらにたまたま芸術家、グラフィックデザイナ、および／または写真家である場合、その売手は自分のＳＤＳ／メモの隣の空きスペース（別名「ＧＲＥ」）を売るだけでなく、図４Ｃで自分の作品／写真をアップロードすることにより、それらの作品／写真も売りたい場合がある。そのようにする際、売手は自分がデザインした画像、写真、または作品も売るので、ことによるとＧＲＥの区画の基準価格をより高く設定することができる。同時に、ＧＲＥの購入者は、（合法で、適切に、かつシステムの規則に従う限り）自らが望む任意の方法で使用するための「空きの」オンライン財産の区画を取得しただけでなく、自分が後で使用可能な作品も購入したことになる。購入者が取得した作品／写真を他のＧＲＥの区画のために直ちに使用するか、後で使用するかを決めることができるようにシステムをプログラムすることができる。あるいは、ＧＲＥの売手は、特定の期間だけ画像／写真の権利を売ることにしても良い。つまりＧＲＥの最終的な購入者は、画像／写真／作品を数時間、数日間、または数年間しか使用することができない（この時間の長さはシステムがプログラムされる方法に応じて異なり得る）。
【０１４１】
図４Ｉは、利用者が自分の売手／買手にフィードバックを提供する方法を示す画面の一例である。この画面は、利用者が図４Ｅのフィードバック２６０および図４Ｇのフィードバック２９４を選択するとき表示される。この画面は、利用者が自分のＧＲＥの区画の売手／買手にフィードバックを与えたい場合に見ることができる画面の例である。
【０１４２】
利用者は、自分の売手／買手に文字によるコメント／懸念事項をボックス３１４内で与えることができる。さらに、利用者は、自分の売手／買手に＋１、０、−１などの数字による評価を評価セクション３１６内で与えることができる。利用者は、この評価を自分の買手／売手との取引の体験に基づかせることができる。例えば、売手が金銭をより早く回収できるように、ＧＲＥの購入者（別名ＧＲＥの落札者）が素早く支払いを完了する場合、売手は買手の効率の良さに対して、自分の買手に＋１の評価を与えたくなる可能性がある。その後、利用者が私の評価を提出するボタン３１８を選択すると、入力された全ての情報がインターネットを介して送信される。
【０１４３】
あるいは、評価が必ずしも数字（＋１、０、−１）で表されなくても良いようにシステムをプログラムすることができ、代わりに、評価を上向きの親指や下向きの親指、星の数、他の任意の描写的画像などの画像によって表すことができる。さらに、（図２の１１２の数字バッジ、および図７Ａの項目４０６によって示すように）評価が利用者のランキングを高めるのを助けることができるようにシステムをプログラムすることができる。率直な評価を与えることにより、利用者は、潜在的なＧＲＥ入札者／売手が他の利用者のＧＲＥ取引履歴を理解するのを助けることができる。
【０１４４】
最初の数字による評価だけが有効であるように、またはその後の数字による評価の全てが有効であるようにもシステムをプログラムすることができる。さらに、利用者が一貫して肯定的な評価を獲得する場合、その利用者がより高い利潤分配率をさらに高くできるように、または、さらに多くのＧＲＥの区画を売ることができるようにシステムをプログラムすることができる。他方で、利用者が一貫して否定的な評価を獲得する場合、利用者がＧＲＥを売るときにより低い利益を得なければならないように、またはより少ないＧＲＥの区画を売らなければならないようにシステムをプログラムすることもできる。
【０１４５】
図４Ｊは、利用者がブロックした人の一覧を示す画面の一例である。この例示的画面は、利用者が図４Ａのブロックリスト１９４を選択するときに表示される。ここでは、自分のＧＲＥに入札するのをブロックした人の一覧を見るために、利用者がシステムにアクセスすることができる。利用者は、ここで過去にブロックした人のブロックを解除することもできる。
【０１４６】
図４Ｅも参照し、利用者はブロック２５８を選択することにより、別の利用者が自分のＧＲＥに入札するのをブロックすることに決めることができる。つまり、ブロックされている人はブロックした人のＧＲＥにもはや入札することができない。これは、ＧＲＥの入札者／購入者が過去に支払いを完了しなかったこと、時間内に支払わなかったこと、および／または空いているＧＲＥの区画に不適切なコンテンツをアップロードしたことを売手が知る場合に起こり得る。
【０１４７】
利用者は、ブロックされた人の画像を画像セクション３２０内で見ることができる。ブロックされた人の名前が名前３２２の下に表示される。ブロックされた人の全体的なＧＲＥ購入／販売フィードバック評価がＧＲＥ取引評価３２４の下に表示される。ブロックされた人の（公開したＳＤＳ、メモ、ブリーフィング、および／または翻訳文から得られる）推薦の総数が総推薦３２６の下に表示される。このブロックアクションが生じる日時がブロック日３２８に表示される。利用者がある人のブロックを解除することに決めた場合、利用者はブロックを解除するためにブロック解除３３０を単純に選択することができる。
【０１４８】
図５Ａは、推薦を獲得した、公開されたＳＤＳを示す画面の一例である。利用者は、図４Ｃで自分のＧＲＥに値段を付けた後でこの画面の例を見ることができる。システムの利用者が別の利用者の「ミッションオフィス」を訪れる場合、その利用者は（図３Ａに示す）ＳＤＳタブおよびタイトルリンクの１つを選択してこの画面を見ることもできる。ＳＤＳの閲覧者が図５ＡのＧＲＥタブ３３２を選択すると、その閲覧者は現在の販売用のＧＲＥおよび販売用ＧＲＥの現在の最高入札額を見ることになる。ＧＲＥの売手（ＳＤＳの著者でもある）が図４Ｃでアップロードした画像が、図５Ａの枠３３４内に表示される。
【０１４９】
価格リンク３３６の金額は、ＧＲＥの現在の最高入札額を示す。価格リンク３３６の金額を選択することにより、利用者が、競売の開始／終了日、入札履歴、現在の入札数、ＧＲＥの基準価格等を含み得る現在の販売用のＧＲＥの詳細を表示した図６Ｂに示す画面の例を見るよう導かれる。
【０１５０】
図３Ｃの「＋１」ボタン１６０を選択することにより、利用者は効果的で有益だと分かるＳＤＳを推薦することができる。
【０１５１】
ＳＤＳが数件の推薦を得ると、図５Ａのリンク３３８に表示されているようにその推薦が表示される。利用者が図３Ｃの「＋１」ボタン１６０を選択することでＳＤＳを１度推薦した後、「＋１」ボタン１６０が消える。図５Ａの推薦者数リンク３３８は現在の推薦者の総数を示し、このリンクを選択することにより、利用者は公開されたＳＤＳの推薦者の一覧を見ることができる。ＳＤＳの閲覧者がそのＳＤＳの翻訳文を提供することに決めた場合、その閲覧者は自分の翻訳文を図３Ｃの１７４内に入力し、翻訳に使用する言語を図３Ｃの１７６内で選択することができ、その後、そのＳＤＳの翻訳文がセクション３４６に表示され、翻訳に使用された言語が図５Ａの３４４に表示される。
【０１５２】
翻訳者自分を含む利用者は、図５Ａの「＋１」ボタン３４８を選択することにより翻訳文を推薦することができる。翻訳者の写真が画像リンク３４０内に表示され、翻訳者の名前が名前リンク３４２に表示される。利用者がこの名前リンク３４２を選択すると、その利用者は図７Ａに示すこの翻訳者のプロフィールの表示に導かれる。
【０１５３】
あるいは、利用者が、入札過程を経ることなく自分のＧＲＥを固定価格で売りたい場合、価格リンク３３６に表示される価格は、ある期間空いているＧＲＥの新たな所有者になるために買手が支払う固定価格である。ＧＲＥの区画の売手は、自分が公開したＳＤＳ／メモ／他のコンテンツの隣の空きスペースだけでなく、自分が図４Ｃでアップロードした画像／写真／作品も売ることに決めても良い。ＧＲＥの売手が自分のＧＲＥをどのように売ったのかにもよるが、ＧＲＥの新たな所有者はその画像をある期間または永久に所有することができる。
【０１５４】
図５Ｂは、取得されたＧＲＥの支払いが完了し、コンテンツがＧＲＥの空き枠にアップロードされたときの公開されたＳＤＳを示す画面の一例である。図４Ｇのアップロード済みリンク２９６を選択することにより、ＧＲＥの購入者（別名ある期間にわたるＧＲＥの新たな所有者）は、自分がアップロードしたコンテンツがＳＤＳ／メモの隣にどのように表示されるのかを見ることができる。概して、システムの利用者がＳＤＳを見るとき、スポンサータブ３５０を選択することにより、その利用者はＧＲＥの購入者がアップロードした全てのコンテンツを見ることができる。
【０１５５】
項目３５２は、ＧＲＥの購入者が図４Ｈの３０６内に入力した題名を示す。この題名を選択することにより、ＧＲＥの購入者が図４Ｈの３１０内に入力したＵＲＬにより、利用者は外部のウェブサイトに導かれる。利用者は、コンテンツがアップロードされたＧＲＥの閲覧者をシステム内で案内するリンクを提供することもできる。
【０１５６】
項目３５４は、ＧＲＥの購入者が図４Ｈの３０４でアップロードした画像を表示する。
【０１５７】
項目３５６は、ＧＲＥの購入者が図４Ｈの３０８内に入力した説明を示す。
【０１５８】
任意の時点において、システムの利用者が「スポンサー付き」ＧＲＥ（またはコンテンツで満たされているＧＲＥ）を推薦したい場合、その利用者は「上向きの親指」画像３５８を選択することができる。
【０１５９】
項目３６０は、スポンサー付きＧＲＥの現在の推薦者数を示す。全てのスポンサー付きＧＲＥが無作為に表示され得る。一実施形態では、このレイアウトが（図５Ｂに示すものなど）５つのスポンサー付きＧＲＥしか認めないようにシステムをプログラムし、その場合、利用者は残りのスポンサー付きＧＲＥを見るためにリンク（不図示）を選択することができる。
【０１６０】
あるいは、スポンサー付きＧＲＥおよび／または販売用のＧＲＥが無作為に表示されないようにシステムをプログラムすることができる。つまり、ＧＲＥの位置が固定される。このようにして、ＧＲＥの売手は自分が望む場合、より高く位置付けされたＧＲＥの区画をより高値で売り、より低く位置付けされたＧＲＥの区画をより安値で売りたいと思う場合がある。あるいは、スポンサー付きＧＲＥ（別名コンテンツで満たされたＧＲＥ）が特定のパターンで表示されるようにシステムをプログラムすることもでき、その結果、より高値のＧＲＥが最も上に表示されやすくなり、または、より高くランク付けされたＧＲＥ購入者のＧＲＥ等が最も上に表示されやすくなる。
【０１６１】
さらに、例えＧＲＥの購入者がこのオンライン財産の区画をもはや所有していなくても、その利用者が空いているＧＲＥの区画を取得するのと同時に支払った画像を引き続き保持し、その画像を他の場所で使用できるようにシステムをプログラムすることができる。例えば、ＧＲＥの売手が空きスペースと自らのクリスマスカードのデザインとの両方を売った場合、落札者は自分が望む任意の用途のためのＧＲＥの区画を取得しただけでなく、別の人にホリデイグリーティングを送るために再度使用可能なホリデイグリーティングカードの画像も取得する。ホリデイグリーティングカード画像の作者として、ＧＲＥの売手は確かにその画像を再度売ることができるが、ＧＲＥの購入者が全額の支払いを行えば画像を使用する権利を完全に売ることに決めてもよい。これは、ＧＲＥの売手が自分のＧＲＥをどのように売ったのかによる。
【０１６２】
さらに、ある期間空いているＧＲＥを使用する権利を最高入札者だけが得るのではないようにシステムをプログラムすることもできる。例えば、ＧＲＥの区画の上位３名の入札者が全員空いているＧＲＥの区画を利用する権利を取得するようにシステムをプログラムすることができる。その場合、それらの入札者のコンテンツがアップロードされたＧＲＥの位置は、それらの者の入札額によって決まる。つまり、入札額が高ければ高いほど、その人のコンテンツがアップロードされたＧＲＥの位置も高くなる。
【０１６３】
図６Ａは、利用者の販売用のＧＲＥの区画の一覧を示す画面の一例である。利用者は、他の利用者の（または自分の）販売用のＧＲＥの区画を見るためにシステムにアクセスすることができる。利用者が別の利用者の「ミッションオフィス」に到達すると、その利用者は図２のＧＲＥタブ９０を選択して図６Ａに示す画面の一例に達することができる。
【０１６４】
ＧＲＥの画像が、画像セクション３６４内に表示される。
【０１６５】
ＳＤＳ／メモ３６６の下のＳＤＳ／メモタイトルリンクは、図５Ａに示すような販売用のＧＲＥの区画が表示される場所を見るように利用者を導く。
【０１６６】
ＧＲＥ３６８の下の販売用のＧＲＥの名前リンクは、図６Ｂに示すような販売用のＧＲＥの区画の詳細を見るように利用者を導く。
【０１６７】
基準価格３７０は、ＧＲＥの区画の売手が競売用に設定した開始入札価格を示す。最高入札額３７２は、ＧＲＥに対する現在の最高入札額を示す。開始（日）３７４は、ＧＲＥ競売の開始日時を示す。終了（日）３７６は、ＧＲＥ競売の終了日時を示す。利用者に、より多くの情報を提供するために、ＧＲＥの区画ごとに閲覧数および入札数（標識付けしていない）も示される。
【０１６８】
図６Ｂは、図６Ａに示す販売用のＧＲＥの区画の詳細を示す画面の一例である。図６Ｂを参照し、利用者は図６ＡのＧＲＥ３６８のタイトルリンクを選択することにより、販売用のＧＲＥの区画の詳細をさらに知ることができる。ここでは利用者は、［利用者の名］のグリーン不動産（ＧＲＥ）取引評価３７８を選択することにより、ＧＲＥの売手の全体的な取引評価を知ることができる。利用者が販売用のＧＲＥの区画の詳細を表示見終えると、その利用者は、売りに出ているＧＲＥの区画の完全な一覧を得るために［利用者の名］の販売用の他のグリーン不動産（ＧＲＥ）３８０を選択することにより、他の販売用のＧＲＥの区画を見ることができる。
【０１６９】
項目３８２は、販売用のＧＲＥの区画の名前を示す。
【０１７０】
項目３８４は、ＳＤＳまたはメモ（任意の種類のコンテンツを含み得る）の題名、さらには販売用のＧＲＥの区画の位置も示す。ＳＤＳ／メモ３８４のタイトルリンクを選択することにより、利用者は図５Ａに示すような販売用のＧＲＥの区画が表示されるＳＤＳ／メモに導かれる。同時にここは、支払い後に表示するために自分が望むコンテンツを最高入札者／ＧＲＥの購入者がアップロードする場合に、図５Ｂに示すようなコンテンツがアップロードされたＧＲＥが表示される場所でもある。
【０１７１】
開始（日）３８６は、ＧＲＥ競売の開始日時を示す。終了（日）３８８は、ＧＲＥ競売の終了日時を示す。基準価格３９０は、図４ＣでＧＲＥの売手が自分の「財産」に対して設定した開始入札価格を示す。説明３９２は、関心をもった入札者に売手が提供したい、販売用のＧＲＥの区画の説明を示す。この説明は、売手が（公開されたＳＤＳ／メモ／他のコンテンツの閲覧者数／推薦者数に基づいて）どのように基準価格を設定したのか、または売手が「空きスペース」だけでなくアップロードした作品も売っているのかどうかを含んでも含まなくても良い。ＧＲＥの売手が図４Ｃでアップロードしたかかる作品または任意の画像が、図６Ｂの３９６内に表示される。
【０１７２】
入札３９４では、ＧＲＥに対してこれまでになされた入札の総数が計算される。入札者３９８の下に表示される入札者名は、入札者の「入札名」を表示する。入札者は、図４Ａの１８２で自分の「入札名」を変更することができる。競売中に入札者の実名を表示しないことにより、利用者のプライバシの保護を保障する。あるいは、利用者の実名を表示するようにシステムをプログラムすることもできる。
【０１７３】
入札額４００の下に表示される金額は、この特定のＧＲＥの区画に対する各入札者の入札金額を示す。利用者が自分のではなく別の利用者の販売用のＧＲＥの区画を見ている場合、この画面は、図６Ｂの入札価格３９５に示すものなど、入札者が入札を行うための金額を入力できるテキストボックスを含む。入札日時４０２は、入札者が入札を行う日時を示す。利用者がＧＲＥの売手によってブロックされている場合、その利用者はこのＧＲＥに入札を行うことができず、従ってその利用者には入札価格ボックス３９５が表示されない。
【０１７４】
図７Ａは、利用者の経歴を示す画面の一例である。図７Ａを参照し、利用者は図２に示す経歴タブ８２を選択することにより、自分の経歴を見るためにシステムにアクセスすることができる。
【０１７５】
身元を確認する写真をアップロードするために、利用者は「私の写真をアップロードする」４０８を選択することができる。アップロードされた写真は、項目４０４内に表示される。
【０１７６】
自分の「経歴」を編集するために、利用者は「経歴を編集する」４１０を選択することができる。経歴を編集する４１０の選択後に入力される情報は、項目４１４内に表示される。
【０１７７】
システムにログインするための自分のパスワードを変更するために、利用者は「パスワードを変更する」４１２を選択することができる。
【０１７８】
数字バッジ４０６は、利用者の現在のランクを示す。このランクは、自分が共有したＳＤＳ、翻訳、およびブリーフィング等から利用者が得た推薦の総数に基づいても良い。利用者のランクを、利用者のＧＲＥ取引評価や利用者のメモの推薦若しくは他の公開されたコンテンツの推薦など、他の推薦／評価に基づかせることができるようにシステムをプログラムすることができる。さらに、制約がある場合、「より高くランク付けされた」利用者がより多くのＧＲＥの区画を売ることができるように、自分のＧＲＥを売るときにより高い利益があげられるように、より多くのＳＤＳを下書きできるように、またはより多くのコンテンツを公開できるようにシステムをプログラムすることができる。
【０１７９】
図７Ｂは、利用者が別の利用者の経歴を見るためにシステムにアクセスし得る方法を示す画面の一例である。別の利用者の経歴を見る場合は、その人の経歴は編集することができないことを除き、この画面は図７Ａに示す画面と同様である。つまり、人は自分の経歴しか編集することができない。図２に示す経歴タブ８２を選択することにより別の利用者の「ミッションオフィス」に到達した後、利用者は別の利用者の経歴を見ることができる。そうすることにより、ＳＤＳ／メモ／翻訳文／ブリーフィング／コンテンツ公開者の観点およびその人の背景をさらに理解することができる。別の利用者のＳＤＳ／メモ、および／または経歴を読んだ後、自分の提携者になるように利用者がその人を招待したいと思う場合がある。招待するには、利用者は「提携者として追加する」４１６を選択することができる。利用者は、「翻訳者として追加する」４１８を選択することにより、別の利用者を自分の翻訳者になるように招待することもできる。
【０１８０】
図７Ｃは、利用者が、別の利用者または自分の提携者一覧を見るためにシステムにアクセスし得る方法を示す画面の一例である。この画面は、利用者が図２に示す提携者８４タブを選択した後に表示される。
【０１８１】
図７Ｄは、利用者が別の利用者のまたは自分の翻訳者一覧を見るためにシステムにアクセスし得る方法を示す画面の一例である。この画面は、利用者が図２に示す翻訳者８６タブを選択した後に表示される。
【０１８２】
図８Ａは、利用者が、別の利用者または自分の公開されたブリーフィングの一覧を見るためにシステムにアクセスし得る方法を示す画面の一例である。この画面は、利用者が図２に示すブリーフィング９２タブを選択した後に表示される。システムの使命は、利用者が「政府高官」または母国の代表者（大使／外交官など）になることを可能にすることであり、利用者はシステムを介して自分が世間一般と共有したい「ブリーフィング」を公開することができる。システムを介して公開することができるブリーフィングの種類は、これだけに限定されないが、写真のブリーフィング（例４２０によって示す）、動画のブリーフィング（例４２２によって示す）、プレスリリースのブリーフィング（例４２４によって示す）、およびリンクのブリーフィング（例４２６によって示す）を含む。利用者は、他者のブリーフィング、さらには自分自身のブリーフィングを推薦する選択肢も有する。利用者が自分のブリーフィングを見るとき、その利用者は図８Ａに示す「ブリーフィングを公開する」リンク（番号付けしていない）を見ることになる。利用者はそのリンクを選択し、図８Ｂ〜図８Ｅに示すステップをたどって記載した４種類のブリーフィングを公開することができる。この場合もやはり、他の種類のブリーフィングを公開できるようにシステムをプログラムすることができる。例えば、利用者が音声記録を共有することができる音声形式のブリーフィング。
【０１８３】
図８Ｂは、利用者が「リンク」形式のブリーフィングを公開するためにシステムにアクセスし得る方法を示す画面の一例である。利用者はまず、自分のリンクのブリーフィングの題名をボックス４２８内に入力し、次いで自分のリンクの説明をボックス４３０内に入力し、その後自分のリンクのＵＲＬをボックス４３２内に入力する。入力された全ての情報がインターネットを介して送信され、公開された「リンク」形式のブリーフィングが図８Ａの項目４２６のように表示される。
【０１８４】
図８Ｃは、利用者が「写真」形式のブリーフィングを公開するためにシステムにアクセスし得る方法を示す画面の一例である。利用者はまず、写真または画像を、選択一覧４３４内でそのファイルパスを選択することによりアップロードすることができる。次に、利用者は自分の写真／画像の題名をボックス４３６内に入力することができる。その後、利用者は自分の写真／画像をボックス４３８内で説明することができる。入力された全ての情報がインターネットを介して送信され、公開された「写真」形式のブリーフィングが図８Ａの項目４２０のように表示される。如何なる数の画像（１から無限におよぶ）もアップロードできるようにシステムをプログラムすることができる。
【０１８５】
図８Ｄは、利用者が「動画」形式のブリーフィングを公開するためにシステムにアクセスし得る方法を示す画面の一例である。利用者はまず、自分の動画の題名をボックス４４０内に入力する。次いで、利用者は自分の動画の説明をボックス４４２内に入力することができる。その後、利用者は動画リンクをボックス４４４内に埋め込むことができる。入力された全ての情報がインターネットを介して送信され、公開された「動画」形式のブリーフィングが図８Ａの項目４２２のように表示される。
【０１８６】
図８Ｅは、利用者が「プレスリリース」形式のブリーフィングを公開するためにシステムにアクセスし得る方法を示す画面の一例である。利用者はまず、自分のプレスリリースの題名をボックス４４６内に入力する。次いで、利用者は自分の声明（即ち自分のプレスリリースのコンテンツ）をボックス４４８内に入力することができる。入力された全ての情報がインターネットを介して送信され、公開された「プレスリリース」形式のブリーフィングが図８Ａの項目４２４のように表示される。
【０１８７】
図９は、利用者がＱ＆Ａセッションに参加するためにシステムにアクセスし得る方法を示す画面の一例である。システムの会員間のより緊密なやり取りを促進し、利用者が効率的に質問し／質問に回答し、互いのＳＤＳを全体的に改善できるプラットフォームを提供するために、本システムはＱ＆Ａセッションに参加する機会も利用者に与える。そのために、利用者がシステムにログインした後、その利用者は図２のＱ＆Ａタブ９４を選択することができる。図２の項目１１４に示すように、自分の「ミッションオフィス」に到達すると、利用者は自分宛に直近に投稿された３つの質問を見ることができる。
【０１８８】
Ｑ＆Ａの全ての記録を見るために、利用者は図２のＱ＆Ａタブ９４を選択することができる。図２のＱ＆Ａタブ９４を選択することにより別の利用者の「ミッションオフィス」に到達すると、利用者は別の利用者のＱ＆Ａを見ることができ、望む場合はそのＱ＆Ａに参加することができる。
【０１８９】
質問するには、利用者は自分の質問をテキストボックスに入力し、提出された質問は項目４５４として表示され、自分の（質問した人の）プロフィール写真が項目４５０内に表示され、自分の名前が項目４５２に表示される。
【０１９０】
何れかの質問に回答するには、利用者は返答リンク４５８を選択することができ、利用者が自分の回答を入力するためのテキストフィールド（不図示）が表示される。提出された回答は、項目４５６に示されるように表示される。
【０１９１】
図１０は、利用者が自分の提携者の更新情報を見るためにシステムにアクセスし得る方法を示す画面の一例である。この画面は、利用者が図２に示すニュースタブ８０を選択した後に表示される。本システムの使命は、自分の提携者の最近の活動の更新情報を利用者に与えることにより、システムの会員間のより緊密なやり取りを促進することである。更新情報の種類には、これだけに限定されないが、新しいブリーフィング、新しい翻訳文、新しいＳＤＳ／メモ、および新しい販売用のＧＲＥの区画の更新情報が含まれる。つまり、利用者の提携者がブリーフィング（リンク、写真、動画、および／またはプレスリリースを含み得る）を公開し、翻訳文を追加し若しくはＳＤＳ／メモや他のコンテンツを公開し、または販売用のＧＲＥの区画を今しがた載せた場合、かかる更新情報が利用者に知らされる。例えば、図１０に示すように利用者の提携者が販売用のＧＲＥの区画を今しがた載せた場合、利用者のニュースタブ８０に「［利用者の名］が［日付］に［ＧＲＥの題名］と題されたグリーン不動産の区画を今販売しています」４７０と名付けられたリンクが追加される。提携者の写真が、項目４６８内に表示される。別の例は、新たなＳＤＳが公開される場合に、図１０の項目４７２に示すように更新情報を表示するものである。その後、利用者の提携者が翻訳文を追加した場合、図１０の項目４７４に示すように更新情報が表示される。これらの提携者の「更新情報」リンクを選択することにより、利用者は新たに公開されたブリーフィング、翻訳文、販売用のＧＲＥの区画、および／またはＳＤＳ／メモを見るように導かれる。
【０１９２】
あるいは、ニュースタブ８０は、利用者の翻訳者および／または利用者が予約購読している持続可能な開発についてのニュース記事の更新情報を含むこともできる。上述のようにニュース８０は、全般的な持続可能な開発についての最新ニュース、例えば炭素取引の規則に関する政策変更について利用者に更新情報を提供することもできる。さらにニュース８０は、利用者が企業／組織／学校／製品の最新の更新情報および「グリーン」製品のリリースを予約購読し、入手することを可能にすることもできる。最後に、ニュース８０は、全般的なローカルニュース、全国ニュース、および世界のニュースを含むこともでき、利用者が最新情報に素早くアクセスできるようにしている。
【０１９３】
図１１Ａ〜図１１Ｃは、本発明の一実施形態による、コンテンツ公開、広告サービス、および報酬回収間の統合のための方法を示す流れ図である。図１１Ａを参照し、ステップ５０２で、システムにログインまたは登録していない利用者、例えば、システム内の第１の利用者が、限られた数の資料を閲覧することを許可することができる。一実施形態では、この資料は、上位３つの最新の、最も閲覧された、最も推薦された、および最もよい翻訳が行われた資料であり得る。
【０１９４】
ステップ５０４で、初めての利用者は、最初、利用者はシステムに登録するように要求され、システムに登録している場合はシステムにログインするように要求される。特に、システムの初めての利用者はアカウントを作成するために必要な情報を送信して、その利用者にはシステムにアクセスするための個人番号（またはＩＤ）が割り当てられる。そうではなければ、アカウントを既に作成しており、個人番号（またはＩＤ）が既に割り当てられている利用者については、その利用者はアカウントを作成するために使用した電子メールアドレス、および自分の過去に作成したパスワードを使用してシステムにログインすることができる。
【０１９５】
ステップ５０６で、第１の利用者は第１の所定数のコンテンツをアップロードすることができる。一実施形態では、全ての利用者は、最初はＳＤＳのドラフトを作成する３つの機会から開始する。しかし別の実施形態では、覚書（別名メモ）のドラフトを作成することに関し、利用者は自分が最初に公開できる覚書の一定の数の制約を受けない。このような制約があるようにもないようにもシステムをプログラムすることができる。このようにしてステップ５０６で、第１の利用者は第１のコンテンツをアップロードすることができ、この第１のコンテンツは、一実施形態では第１の利用者がオンラインで公開したいＳＤＳまたは他の資料を含むことができ、別の実施形態では、技術、食品からファッションまで多岐にわたる任意の種類のコンテンツを含み得るブリーフィング／覚書を含むことができる（覚書を書くことはジャーナルまたはブログ用のエントリを書くのと同様であり得る）。その後、第１のコンテンツを一般の閲覧用に公開することができる。
【０１９６】
次にステップ５０８で、第１のコンテンツの所定条件の量を計算する。本発明による一実施形態では、第１のコンテンツの所定条件が、公開された第１のコンテンツに対する推薦数、公開された第１のコンテンツの閲覧者数、および公開された第１のコンテンツの翻訳数のうちの１つを含む。
【０１９７】
次いでステップ５１０で、公開された第１のコンテンツの所定条件の量が第１の所定の閾値に達するかどうか、例えば上記の一実施形態に示すように公開されたＳＤＳまたはメモに対して５件の推薦が得られるかどうかを判定する。第１の所定の閾値に達する場合、ステップ５１２で、第１の広告に使用可能な第１の枠を提供する。グリーン不動産（別名ＧＲＥ）の区画の形式または公開されたコンテンツを取り囲む空きスペース／枠の形式の第１の枠は、その後競売にかけることができる。
【０１９８】
コンテンツの価値およびコンテンツを取り囲む領域（広告や同様の用途、またはグリーティングカードを送ることなどの他の用途に使用可能であり得る）の価格が広告主または広告サービスプロバイダによって決定される殆どの入札システムとは異なり、本発明によるこの方法およびシステムは、第１の利用者、即ちコンテンツ公開者が自分のコンテンツの価値を決定し、ステップ５１４で第１の枠の第１の価格を設定することを可能にする。
【０１９９】
次いでステップ５１６で、公開された第１のコンテンツの所定条件が第２の所定の閾値に達するかどうか、例えば公開されたコンテンツ（即ちＳＤＳ／覚書）に対して１０件の推薦が得られるかどうかをさらに判定することができる。第２の所定の閾値に達しない場合、ステップ５１８で、所定条件が第２の閾値に達するまでシステムが所定条件の量を計算する。第２の所定の閾値に達する場合、ステップ５２０で、第２の広告に使用可能な第２の枠を提供し、ステップ５２２で第１の利用者が第２の枠の第２の価格を設定することが認められる。
【０２００】
図１１Ｂを参照し、図１１Ａのステップ５１２で第１の枠が提供されると、一実施形態ではステップ５３０で、第１の利用者は第２の所定数のコンテンツをアップロードすることができる。図１１Ａに示すステップ５０８からステップ５２２までの同様の手順を、第２の所定数のコンテンツについて繰り返してもよい。
【０２０１】
したがって、一実施形態では、さらに多くのコンテンツを公開し、さらに多くの枠を販売することで儲けることができるように、利用者は推薦を獲得して承認を得ようとするはずである。公開されたコンテンツに対して利用者が少なくとも５件の推薦を得る一実施形態では、その利用者は別のコンテンツを公開する機会を１回と、販売用の広告枠に値段を付ける機会を１回得る。利用者は、５の倍数の推薦を獲得する限り、広告に使用可能な枠を売る無限の機会を場合によっては得ることができる。つまり利用者は、自分が公開したコンテンツの１つに対して１０件の推薦を獲得すると、広告枠に値段を付けて売る機会を２回得ることができる。利用者が５０件の推薦を獲得する場合、その利用者は値段を付けて売り、儲けるための１０個の広告枠（別名ＧＲＥ）を獲得する。
【０２０２】
ステップ５３０で、一般閲覧用に任意のコンテンツがさらにアップロードされてもされなくても、ステップ５３２で、第１の利用者は販売を目的とする第１の枠に第２のコンテンツをアップロードすることができる。第２のコンテンツは、一実施形態では、これだけに限定されないが作品、写真、画像、およびロゴを含み得る。
【０２０３】
ステップ５３４で、システムは第２の利用者だけが第１の枠を、例えば入札によって取得したかどうかを判定する（別の実施形態は利用者が競売過程を経る代わりに、枠を直接購入できることを示す）。第２の利用者だけの場合、ステップ５３６で、第２の利用者が第１の枠に第３のコンテンツをアップロードすることを許可する。第３のコンテンツは、企業のサービスの広告などのコンテンツから、第１の枠の販売者にグリーティングカードを送ることまで多岐にわたることができる。第３のコンテンツは概して広告目的で役に立つ。ステップ５４２で、第１の利用者または第２の利用者が枠の一覧にアクセスし、販売済み／未売／コンテンツで満たされた／現在販売されている枠の一覧を見ることができる。
【０２０４】
第２の利用者だけではない場合、一実施形態では、ステップ５３８で、複数の第３の利用者が第１の枠を購入したかどうかをシステムが判定する。複数の第３の利用者が第１の枠を購入している場合、ステップ５４０で、それらの第３の利用者は第１の枠を共有し、自分のコンテンツを広告目的でまたは他の用途で第１の枠にアップロードすることができる。一実施形態では、第１の枠の上位３名の最高入札者が全員第１の枠を利用する権利を取得する。さらに、第１の枠内での自分の割当分の位置は自分の入札額によって決まる。例えば自分の入札額が高ければ高いほど、第１の枠内でのその人の割当分の位置がより高くまたはより良くなる。自分の入札額が高ければ高いほど、例えばより大きい写真／画像／作品またはさらに多くのコンテンツをアップロードするための、より大きい枠を取得できるようにシステムをプログラムすることもできる。その第３の利用者は、ステップ５４２で、自分が取得したがまだコンテンツをアップロードしていない枠の一覧、または自分がコンテンツをアップロードした若しくは閲覧した枠の一覧、他の販売用の枠の一覧にアクセスすることができる。
【０２０５】
その一方で、複数ではない第３の利用者が第１の枠を取得していないとシステムが判定する場合、ステップ５４２において、一実施形態では第１の利用者が競売にかけられた枠、販売済みの枠、および未売の枠を示す枠の一覧を保持すること、および望む場合は他の利用者の販売用の枠を見ることを認められる。
【０２０６】
図１１Ｃを参照し、図１１Ａに示すステップ５０４でログインした後、第１の利用者は自分のメインメニュー、即ち「ミッションオフィス」にアクセスすることができ、ミッションオフィスでは利用者は、ステップ５５０で翻訳者および／または提携者を探すことができ、ステップ５５２で別の利用者または翻訳者と提携関係を結ぶことができ、ステップ５５４で翻訳者／提携者の一覧にアクセスすることができ、ステップ５５６で自分の経歴を閲覧／編集することができ、ステップ５５８で別の利用者の経歴を見ることができ、ステップ５６０で質問に回答する／質問することができる。より詳細には、記載した本発明の様々な実施形態により、第１の利用者は自分の提携者、翻訳者、および／または他の個人／有機体の更新情報を受け取り、自分の経歴を更新し、提携者／翻訳者を探し、コンテンツを公開し、自分の枠で金を儲け、ブリーフィングを公開し、かつ／またはＱ＆Ａセッションに参加することができる。その時点で、利用者は他の利用者のコンテンツを読み、他人の枠に入札し、他の利用者の「ミッションオフィス」を訪れて提携者を招待し、翻訳者を探し、ブリーフィングに留意し、Ｑ＆Ａセッションに参加し、かつ／またはその人の経歴を読むこともできる。
【０２０７】
順序または性能として明確に特定していない限り、本明細書に記載した方法のステップ、手順、および操作は必ずしもその性能を解説しまたは図示した特定の順序で行うものだと解釈すべきでないことを理解すべきである。例えば当業者は、図１１Ｃに示すステップ５５０からステップ５６０までの順序は重要ではなく、置き換え可能であり得ることを理解されよう。追加のステップまたは代替ステップを使用しても良いことも理解すべきである。
【０２０８】
この方法およびシステムは、利用者が自分の個人および国家の持続可能な開発のための戦略（ＳＤＳ）の両方を、標準化され、一般に理解できるフォーマットで報告できるようにする。さらに、このシステムおよび方法は、様々な国の利用者が環境に優しい戦略、アイデア、法令、政策、動向、他の関連情報、任意の国際情勢および政治の情報を効率的に、および言葉の壁なしにやり取りすることを可能にする。さらに、このシステムおよび方法は、自分が望む任意の情報を利用者が公開し、やり取りできるようにする能力を有する。同時に、この方法およびシステムを使用することにより、利用者は特に質の高いコンテンツをオンラインで公開することに対する金銭的報酬（対価）を受け取ることができる。加えて、実際に国連総会などの国際会議に参加することなく、または母国で選出された公職者になり若しくは母国の政府要員に参加することなく、利用者はこのシステムおよび方法を使用して母国の代表者になり、自分のＳＤＳを報告し、任意の種類のコンテンツを含み得る覚書（別名メモ）を公開し、自分のＳＤＳを他者に教育し、国際提携を構築し、母国の「グリーン文化」について他者を教育し、言語力を磨き、翻訳文を提供することによりＳＤＳのやり取りを支援し、最新のグリーン動向／アイデア／製品／戦略を知ることができる。
【０２０９】
推薦されたＳＤＳを公開することに対して金銭的対価（報酬）を受け取るための、本明細書に記載した方法およびシステムは、一般に適用できることに留意すべきである。つまり、利用者が自分の「オンライン財産」（別名「ＧＲＥ−グリーン不動産」）を売るために、必ずしも持続可能な開発のための戦略（ＳＤＳ）および／または他の関連情報を公開して推薦を獲得する必要がなくてもよいようにシステムをプログラムすることができる。言い換えれば、利用者は推薦を獲得しようがしまいがＳＤＳ以外の他の任意の種類のコンテンツを公開し、広告枠を売って儲けることができる。
【０２１０】
例えば、このシステムおよび方法は、ブログのようなサービス（リンク、写真、動画、プレスリリース等を含むことができる任意の種類のコンテンツおよびブリーフィングを含み得る覚書を公開するための別名「メモ」）を含める選択肢を有する。つまり、利用者は自分が望む如何なるものも公開し、自分が公開したコンテンツを取り囲んで表示される空きスペースの価値を決め（値段を付け）、その空きスペースを（競売またはそれ以外により）売って儲けることができる。さらに、この場合もやはり、（コンテンツ公開者でもある）空きスペースの売主（所有者）とシステム所有者との間の利益分配シナリオは、システムがプログラムされる方法に応じて異なり得る。例えば空所の売主は、自分が売った広告枠（別名ＧＲＥ）の０％〜１００％の間の幾らでも稼ぐことができるのと同時に、所有者は売られた空きスペースの価値の０％〜１００％の間の幾らでも回収することができる。
【０２１１】
このシステムおよび方法は、システム上でアカウントを作成した後、自分が公開したコンテンツの隣に表示されるまたはかかるコンテンツを取り囲む空きスペースを利用者が自分のものだと主張することを認める。そうすることにより、利用者は自分の「オンライン財産」（即ち自分が公開したコンテンツの隣に表示されるまたはかかるコンテンツを取り囲む空きスペース、別名グリーン不動産−ＧＲＥ）の権利を、広告目的若しくは同様の用途で、または合法かつ適切な他の用途でシステムの他の利用者に売ることができる。
【０２１２】
本発明を特定の実施形態に関して説明してきたが、添付の特許請求の範囲のより広い趣旨および範囲から逸脱することなく、様々な修正および変更をそれらの実施形態に加えても良いことが明らかである。従って、本明細書および図面は限定的意味ではなく例示的意味として見なすべきである。
【図１】
2020009481.tif 000003
【図２】
2020009481.tif 000004
【図３Ａ】
2020009481.tif 000005
【図３Ｂ】
2020009481.tif 000006
【図３Ｃ】
2020009481.tif 000007
【図４Ａ】
2020009481.tif 000008
【図４Ｂ】
2020009481.tif 000009
【図４Ｃ】
2020009481.tif 000010
【図４Ｄ】
2020009481.tif 000011
【図４Ｅ】
2020009481.tif 000012
【図４Ｆ】
2020009481.tif 000013
【図４Ｇ】
2020009481.tif 000014
【図４Ｈ】
2020009481.tif 000015
【図４Ｉ】
2020009481.tif 000016
【図４Ｊ】
2020009481.tif 000017
【図５Ａ】
2020009481.tif 000018
【図５Ｂ】
2020009481.tif 000019
【図６Ａ】
2020009481.tif 000020
【図６Ｂ】
2020009481.tif 000021
【図７Ａ】
2020009481.tif 000022
【図７Ｂ】
2020009481.tif 000023
【図７Ｃ】
2020009481.tif 000024
【図７Ｄ】
2020009481.tif 000025
【図８Ａ】
2020009481.tif 000026
【図８Ｂ】
2020009481.tif 000027
【図８Ｃ】
2020009481.tif 000028
【図８Ｄ】
2020009481.tif 000029
【図８Ｅ】
2020009481.tif 000030
【図９】
2020009481.tif 000031
【図１０】
2020009481.tif 000032
【図１１Ａ】
2020009481.tif 000033
【図１１Ｂ】
2020009481.tif 000034
【図１１Ｃ】
2020009481.tif 000035